(57)【要約】【課題】遊技への注目度を好適に向上させることができる遊技機を提供する。【解決手段】遊技盤ユニットには遊技領域が設けられている。この遊技領域の下部には、作動入球ユニット４００Ｘが配設されている。作動入球ユニット４００Ｘは、上作動口８３ａに流入した遊技球を第１分岐通路部３３１へ振り分ける第１振分状態と上作動口８３ａに流入した遊技球を第１分岐通路部３３１よりも遊技者に有利な第２分岐通路部３３２へ振り分ける第２振分状態とに切替可能な振分機構３００Ｘを有している。振分機構は３００Ｘ、上作動口８３ａに流入した遊技球を第１分岐通路部３３１側へ案内可能な第１収容凹部と、上作動口８３ａに流入した遊技球を第２分岐通路部３３２側へ案内可能な第２収容凹部と、下作動口８４ａＸへ流入した遊技球が当たるアーム部４０３Ｘとが形成された回転体３０１Ｘを有している。【選択図】      図２０
2018183538.tif 000002
【特許請求の範囲】
【請求項１】
遊技球が通過する第１球通路及び第２球通路と、前記第１球通路を通過する遊技球を振り分ける振分手段とを備えている遊技機であって、
前記振分手段は、所定方向へ回転可能に設けられた回転体を有し、
前記回転体の外周部には、前記第１球通路における所定の案内位置に配置されることにより遊技球を第１方向に案内する第１案内部と、遊技球を第２方向へ案内する第２案内部とが所定の順序で配設されており、
前記回転体は、当該回転体の回転により、前記第１案内部及び前記第２案内部のいずれかが前記案内位置へ位置するように構成されており、
前記第２球通路は、前記回転体の近傍を通過するように配設されており、
前記回転体には前記第２球通路を通過する遊技球を受ける球受け部が設けられており、前記回転体は前記球受け部が前記第２球通路を通過する遊技球に押されることにより回転位置が変化するように構成されていることを特徴とする遊技機。
【請求項２】
前記球受け部は、前記回転体の外周部よりも外側へ突出するように形成されており、
前記第２球通路は、当該第２球通路において遊技球が通過する領域が、前記回転体の回転に伴って前記球受け部が通過する通過領域となるように構成されていることを特徴とする請求項１に記載の遊技機。
【請求項３】
前記回転体は、前記第２球通路を通過する遊技球によって前記球受け部が押されることにより、前記所定方向に回転するように構成されていることを特徴とする請求項１又は請求項２に記載の遊技機。
【請求項４】
前記第１案内部及び前記第２案内部は、前記所定方向に交互となるように配設されており、
前記回転体は、前記球受け部が遊技球に押された場合に当該回転体が回転する回転角度が、前記案内位置に位置する案内部が前記第１案内部及び前記第２案内部の一方からその隣に配設された他方に切り替わる回転角度となるように構成されていることを特徴とする請求項１乃至請求項３のいずれか１つに記載の遊技機。
【請求項５】
前記第１案内部及び前記第２案内部は、前記回転体の外周部を凹ませてなり、
前記球受け部は、前記所定方向にて前記第１案内部と前記第２案内部との間に形成されていることを特徴とする請求項１乃至請求項４のいずれか１つに記載の遊技機。
【請求項６】
前記回転体は、前記第１案内部及び前記第２案内部を各々複数有し、
前記第１案内部及び前記第２案内部は、前記案内位置に到達した遊技球を前記回転体の側方に案内するものであり、
前記第１案内部及び前記第２案内部は、壁面が前記所定方向及び当該所定方向と反対方向を向くように形成された壁部によって仕切られており、
前記球受け部は、前記壁部が前記外周部の外側へ延設されてなることを特徴とする請求項５に記載の遊技機。
【請求項７】
前記回転体は、前記第１案内部及び前記第２案内部を各々複数有し、
前記第１案内部及び前記第２案内部は、前記案内位置に到達した遊技球を前記回転体の側方に案内するものであり、
前記球受け部は、前記回転体にて前記第１案内部に対して前記第１方向とは反対側となる部分及び前記回転体にて前記第２案内部に対して前記第２方向とは反対側となる部分の少なくともいずれかに設けられていることを特徴とする請求項１乃至請求項３のいずれか１つに記載の遊技機。
【発明の詳細な説明】
【技術分野】
【０００１】
本発明は、遊技機に関するものである。
【背景技術】
【０００２】
パチンコ機等の遊技機には、遊技領域が形成された遊技盤と、遊技者による発射操作に基づいて当該遊技領域へ遊技球を発射する遊技球発射手段とを備えているものがある。遊技球発射手段から発射された遊技球が遊技領域に設けられた入球部へ入球することにより、所定数の遊技球の払い出し等の特典が遊技者に付与される（例えば特許文献１参照）。
【先行技術文献】
【特許文献】
【０００３】
【特許文献１】特開２００２−７８９０４号公報
【発明の概要】
【発明が解決しようとする課題】
【０００４】
上述したタイプの遊技機においては、例えば遊技の単調化等を抑制して遊技への注目度の向上を図る上で、その構成に未だ改善の余地がある。
【０００５】
本発明は、上記例示した事情等に鑑みてなされたものであり、遊技への注目度を好適に向上させることのできる遊技機を提供することを目的とするものである。
【課題を解決するための手段】
【０００６】
以下、上記課題を解決するための手段について記載する。
【０００７】
請求項１記載の発明は、
遊技球が通過する第１球通路及び第２球通路と、前記第１球通路を通過する遊技球を振り分ける振分手段とを備えている遊技機であって、
前記振分手段は、所定方向へ回転可能に設けられた回転体を有し、
前記回転体の外周部には、前記第１球通路における所定の案内位置に配置されることにより遊技球を第１方向に案内する第１案内部と、遊技球を第２方向へ案内する第２案内部とが所定の順序で配設されており、
前記回転体は、当該回転体の回転により、前記第１案内部及び前記第２案内部のいずれかが前記案内位置へ位置するように構成されており、
前記第２球通路は、前記回転体の近傍を通過するように配設されており、
前記回転体には前記第２球通路を通過する遊技球を受ける球受け部が設けられており、前記回転体は前記球受け部が前記第２球通路を通過する遊技球に押されることにより回転位置が変化するように構成されていることを特徴とする。
【発明の効果】
【０００８】
遊技への注目度を好適に向上させることができる。
【図面の簡単な説明】
【０００９】
【図１】第１の実施の形態におけるパチンコ機を示す正面図である。
【図２】パチンコ機を前方から見た斜視図である。
【図３】パチンコ機の主要な構成を展開して示す斜視図である。
【図４】パチンコ機の主要な構成を展開して示す斜視図である。
【図５】内枠の構成を示す正面図である。
【図６】遊技盤ユニットの正面図である。
【図７】遊技盤ユニットを背面側から見た斜視図である。
【図８】内枠の構成を示す背面図である。
【図９】パチンコ機の背面図である。
【図１０】裏パックユニットを示す正面図である。
【図１１】上作動入球装置を示す斜視図である。
【図１２】上作動入球装置を主要な構成毎に分解して示す分解斜視図である。
【図１３】上作動入球装置の内部構造を示す概略図である。
【図１４】（ａ）表側構成体の背面構造を示す斜視図、（ｂ）回転体を示す斜視図である。
【図１５】（ａ）回転体の側面図、（ｂ）回転体の正面図である。
【図１６】遊技球の振り分けの様子を示す概略図である。
【図１７】遊技球の振り分けの様子を示す概略図である。
【図１８】下作動入球装置への入球と回転体の状態変化との関係を示す概略図である。
【図１９】第２の実施の形態における作動入球ユニットを示す斜視図である。
【図２０】作動入球ユニットを主要な構成毎に分解して示す分解斜視図である。
【図２１】（ａ）回転体の側面図、（ｂ）回転体の正面図である。
【図２２】作動入球ユニットの内部構造を示す概略図である。
【図２３】回転体と連絡通路との関係を示す概略図である。
【図２４】遊技球の振り分けの様子を示す概略図である。
【図２５】遊技球の振り分けの様子を示す概略図である。
【図２６】下作動入球装置への入球と回転体の状態変化との関係を示す概略図である。
【図２７】回転体の変形例を示す概略図である。
【発明を実施するための形態】
【００１０】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２はパチンコ機１０を正面側から見た斜視図、図３及び図４はパチンコ機１０の主要な構成を展開して示す斜視図である。なお、図３では便宜上パチンコ機１０における遊技領域内の構成を省略している。
【００１１】
図１に示すように、パチンコ機１０は、当該パチンコ機１０の外殻を形成する外枠１１と、この外枠１１に取り付けられた遊技機主部１２とにより構成されている。
【００１２】
図２に示すように、外枠１１は長尺状のフレーム材を四辺に連結し構成されるものであって全体として矩形枠状をなすように形成されている。この外枠１１を島設備に取り付け固定することにより、パチンコ機１０が遊技ホールに設置される。なお、パチンコ機１０において外枠１１は必須の構成ではなく、遊技ホールの島設備等に外枠１１が備え付けられた構成としてもよい。
【００１３】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている（図３及び図４参照）。
【００１４】
図３及び図４に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、遊技機正面視で左側を回動基端側とし右側を回動先端側として内枠１３が前方へ回動可能とされている。
【００１５】
内枠１３には、前扉枠１４が回動可能に支持されており、遊技機正面視で左側を回動基端側とし右側を回動先端側として前方へ回動可能とされている。また、内枠１３には、裏パックユニット１５が回動可能に支持されており、遊技機正面視で左側を回動基端側とし右側を回動先端側として後方へ回動可能とされている。
【００１６】
（前扉枠１４）
次に、前扉枠１４について説明する。図１に示すように、前扉枠１４は、外形が外枠１１とほぼ同一形状をなす合成樹脂製の枠体２０を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１はガラスユニット２２によって同前扉枠１４の背面側から塞がれている。
【００１７】
ガラスユニット２２は、透明性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００１８】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上に鑑みれば、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００１９】
ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部にはエラー等の不具合が発生した場合に点灯するエラー表示ランプ部２７が設けられ、さらにその左右には賞球払出中に点灯する賞球ランプ部２８が設けられている。また、左右の賞球ランプ部２８に近接した位置には、遊技状態に応じた効果音やＢＧＭ等などが出力されるスピーカ部２９が設けられている（図３参照）。
【００２０】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている（図２参照）。上皿３３は、後述する払出装置より払い出された遊技球を一旦貯留し、一列に整列させながら後述する遊技球発射機構へ導くための機能を有する。また、下皿３４は、上皿３３内にて余剰となった遊技球を貯留する機能及び遊技球発射機構によって発射された遊技球のうち遊技領域ＰＥ（図３参照）に到達しなかった遊技球が遊技者に戻された場合に当該排出された遊技球を貯留する受け皿としての機能を有する。
【００２１】
下側膨出部３２の右方には、手前側へ突出するようにして遊技球発射ハンドル４１が設けられている。遊技球発射ハンドル４１が操作されることにより、後述する遊技球発射機構から遊技球が発射される。なお、遊技球の発射速度は、遊技球発射ハンドル４１の操作量（回動量）が大きくなるに従って速くなり、この操作量が遊技者により調整されて所定の量となった場合に遊技球が遊技領域ＰＥへ到達することとなる。また、この操作量を遊技者が調整することで、後述する右ルートと左ルートへの遊技球の打ち分けが可能となる。
【００２２】
図３に示すように、前扉枠１４の背面には、通路形成ユニット４５が取り付けられている。通路形成ユニット４５は、合成樹脂により成形されており、上皿３３に通じる前扉側上皿通路と、下皿３４に通じる前扉側下皿通路とを有してなる。通路形成ユニット４５において、その上側隅部には後方に突出し上方に開放された受口部が形成されており、当該受口部を仕切壁によって左右に仕切ることで前扉側上皿通路の入口部分と前扉側下皿通路の入口部分とが区画形成されている。前扉側上皿通路及び前扉側下皿通路は上流側が後述する遊技球分配部に通じており、前扉側上皿通路に入った遊技球は上皿３３に導かれ、前扉側下皿通路に入った遊技球は下皿３４に導かれる。
【００２３】
前扉枠１４の背面における回動基端側には、その上端部及び下端部に突起軸が設けられている。これら突起軸は内枠１３に対する組付機構を構成する。
【００２４】
次に、図５を参照して内枠１３について詳細に説明する。図５は内枠１３の正面図である。なお、図５においても図３と同様に便宜上パチンコ機１０の遊技領域ＰＥ内の構成を省略している。
【００２５】
（内枠１３）
内枠１３は、外形が外枠１１と同様に略矩形状をなす内枠ベース体５０を主体に構成されている。内枠ベース体５０の高さ寸法は、外枠１１の高さ寸法よりも若干小さく設定されている。また、内枠ベース体５０は外枠１１の上枠部に寄せて配置され、外枠１１の下枠部と内枠ベース体５０との間には若干の隙間が形成されている。外枠１１にはこの隙間を塞ぐようにして幕板が装着されている。幕板は、内枠ベース体５０（詳しくはその下端部）の下方に配置されており、内枠１３が外枠１１に対して閉じられた状態では内枠ベース体５０が幕板の上に載ることとなる。なお、幕板と内枠ベース体５０との間に相互干渉の防止等を目的として若干のクリアランスを設けてもよい。
【００２６】
内枠ベース体５０の前面における回動基端側（図５の左側）には、その上端部及び下端部に支持金具７１，７２が取り付けられている。図示は省略するが、支持金具７１，７２は軸部を有しており、それら軸部に前扉枠１４に設けられた軸受け部が挿入されることにより、内枠１３に対して前扉枠１４が回動可能に支持されている。
【００２７】
内枠ベース体５０の回動先端側（図５の右側）には、内枠１３や前扉枠１４を施錠状態とするための施錠装置７５が配設されている。施錠装置７５は内枠ベース体５０の右端部（後述する縦フレーム部材）に沿うようにして上下に延びており、その長手方向（上下方向）に散在して配置された前扉用鉤部材７６を有している。内枠ベース体５０には前扉枠１４の背面に設けられた鉤受け部材４９（図３参照）内枠１３の正面側に突出させるためのスリットが各前扉用鉤部材７６にそれぞれ対応するようにして形成されている。それらスリットを通じて突出した前扉用鉤部材７６が、前扉枠１４に各前扉用鉤部材７６に１対１で対応させて設けられた鉤受け部材４９に係止されることによって、前扉枠１４が内枠１３に対して開放不能に施錠される。また、施錠装置７５は、内枠１３の後方側に延出する内枠用鉤部材７７を有している。これら内枠用鉤部材７７が外枠１１に固定された鉤受け部材１９に引っ掛かることにより遊技機主部１２が外枠１１に対して閉じた状態で施錠される。
【００２８】
内枠ベース体５０（施錠装置７５）には、施錠装置７５の解錠操作を行うためのシリンダ錠７８が設置されている。シリンダ錠７８は施錠装置７５の主要部分を構成する施錠ユニット（各鉤部材７６，７７や連動杆等）とは別体で設けられており、当該施錠ユニットと隣接して配置されている。シリンダ錠７８の鍵穴に差し込んだキーを右（時計回り）に回すと内枠１３に対する前扉枠１４の施錠が解除され、シリンダ錠７８の鍵穴に差し込んだキーを左（反時計回り）に回すと外枠１１に対する内枠１３の施錠が解除されるように構成されている。
【００２９】
内枠ベース体５０の中央部分には遊技盤ユニット８０を収容する収容凹部５１が形成されている。収容凹部は遊技盤ユニット８０の外形に合わせて遊技機後方に窪んでおり、遊技盤ユニット８０はこの収容凹部５１に遊技機前方から嵌まった状態で手動式のロック機構によって固定されている。収容凹部５１の底部には、略矩形状の窓孔５２が形成されており、この窓孔５２を通じて遊技盤ユニット８０の背面構成（後述する背面ブロック８０ｂ）が内枠１３の後方に突出している。なお、この窓孔５２については、内枠ベース体５０に装着された遊技盤ユニット８０によってそのほぼ全域が遊技機前方から覆われた状態となっている。
【００３０】
（遊技盤ユニット８０）
以下、図６及び図７に基づき遊技盤ユニット８０（特に遊技領域ＰＥに配された各種構成）について説明する。図６は遊技盤ユニット８０の正面図、図７は遊技盤ユニット８０を後方から見た斜視図である。なお、図６においては後述する左ルートを２点鎖線、右ルートを１点鎖線によって例示している。
【００３１】
遊技盤ユニット８０は、透明な合成樹脂材料からなる板材を主体として形成された遊技領域形成体８０ａと、遊技領域形成体８０ａの背面側に設けられ、後述する各種遊技部品（可変表示装置、制御装置、可動式の演出機構、発光可能な装飾部材等）がベース体２５１に搭載されてなる背面ブロック８０ｂとが一体化されてなり（図７参照）、背面ブロック８０ｂの前面部分が遊技領域形成体８０ａを通じて視認可能となっている。
【００３２】
図６に示すように、遊技領域形成体８０ａの前面には遊技球が流下する上述した遊技領域ＰＥが形成されている。既に説明したように遊技領域ＰＥはガラスユニット２２（詳しくは後側のガラスパネル２３）によって覆われている。ガラスユニット２２は、後側のガラスパネル２３と遊技領域形成体８０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技領域形成体８０ａは合成樹脂製に限定されるものではなく、木製とすることも可能である。
【００３３】
遊技領域形成体８０ａには、自身の厚さ方向（前後方向）に貫通する大小複数の開口が形成されている。各開口には、一般入賞口８１、可変入球装置８２、作動入球装置８３，８４、スルーゲート８６等がそれぞれ配設されている。一般入賞口８１、可変入球装置８２及び作動入球装置８３，８４に遊技球が入ると、それら遊技球が各入球部に対応して設けられた検知センサ（図示略）により検知され、その検知結果に基づいて所定数の賞球（遊技球の払い出し）等の特典が遊技者に付与される。その他に、遊技領域形成体８０ａの最下部にはアウト口８９が設けられており、各種入球部等に入らなかった遊技球はアウト口８９を通って遊技領域ＰＥから排出される。以下の説明では、アウト口８９への遊技球の入球と明確に区別するために、一般入賞口８１、可変入球装置８２、作動入球装置８３，８４への遊技球の入球を「入賞」とも表現する。
【００３４】
また、遊技領域形成体８０ａには、遊技球の流下経路を適宜分散，調整等するために多数の遊技釘９３が植設されているとともに、風車９４等の各種部材（役物）が配設されている。これら遊技釘９３や風車９４等の各種構成によって遊技球の流下経路が分化され、上述した一般入賞口８１等への入賞が適度な確率で発生するように調整されている。
【００３５】
遊技領域形成体８０ａの中央には中央開口が形成されている。この中央開口の背後には、背面ブロック８０ｂに属する可変表示ユニット９５等が位置しており、遊技機前方から当該中央開口を通じて可変表示ユニット９５等を視認可能となっている。
【００３６】
中央開口の周辺に作動入球装置８３，８４やスルーゲート８６等の各種入球部が配設されている。作動入球装置８３，８４は、可変表示ユニット９５の下方に配設された上作動入球装置８３（上作動口８３ａ）と、上作動入球装置８３よりも下側に配設された下作動入球装置８４（下作動口８４ａ）とを有してなり、特に下作動入球装置８４には、開閉式の入球補助装置（入球補助手段）又は開閉部材（開閉手段）としての電動役物８５が設けられている。電動役物８５は、可動片と同可動片を駆動させるソレノイド式の駆動部とを有してなり、当該駆動部が後述する主制御装置に接続されている。主制御装置からの駆動信号に基づいて駆動部が動作することにより、下作動口８４ａへの入球が許容される開放状態（補助状態）と、同入球が不可となる閉鎖状態（非補助状態）とに切替可能となっている。
【００３７】
なお、電動役物８５については、第１状態と当該第１状態よりも入賞が発生しやすい第２状態とに切替可能であれば足り、必ずしも開放状態／閉鎖状態に切替可能である必要はない。
【００３８】
可変表示ユニット９５の側方（詳しくは右ルート）には上記スルーゲート８６が配置されている。遊技球のスルーゲート８６の通過をトリガとしたサポート抽選にて当選となった場合には、電動役物８５が所定時間だけ閉状態から開状態に切り替えられることとなる。
【００３９】
本パチンコ機１０では、電動役物８５によるサポートの態様が異なる複数種類のサポートモードが設定されている。詳細には、サポートモードには、遊技領域ＰＥに対して同様の態様で遊技球の発射が継続されている状況で比較した場合に、電動役物８５が単位時間当たりに開放状態となる頻度が相対的に高低となるように、低頻度サポートモード（又は低頻度ガイド状態）と高頻度サポートモード（又は高頻度ガイド状態）とが設定されている。
【００４０】
高頻度サポートモードでは、低頻度サポートモードよりも下作動入球装置８４（下作動口８４ａ）への入賞が発生する確率が高くなる。そして、下作動口８４ａへの入賞が発生した場合には、所定個数の遊技球の払出が実行される。これにより、高頻度サポートモードでは、遊技者は持ち球の消費（投資）を抑えながら、より詳しくは持ち球を増やしながら遊技を行うことが可能となる。
【００４１】
可変入球装置（特別入球装置又は特別入球手段）８２には、遊技球が通過可能な大入賞口が形成されているとともに、当該大入賞口を開閉する開閉部材（開閉手段）としての開閉体が設けられている。開閉体は、遊技球の入球が可能又は容易となる開状態（許容状態）と、同入球が不可又は困難となる閉状態（阻止状態）とに切替可能となっている。また、同開閉体は、遊技領域形成体８０ａの背面側に設けられた可変入賞駆動部（詳しくはソレノイド等）と連結されており、通常時においては開閉扉は閉状態のまま維持され、内部抽選において開閉実行モード（開閉実行状態）への移行に当選した場合に（大当たり：通常の遊技状態よりも遊技者に有利な特別遊技状態への移行に当選した場合に）開状態に切り替えられるようになっている。
【００４２】
開閉実行モードとは、大当たり当選となった場合に移行することとなるモードである。当該開閉実行モードにおける可変入球装置８２の開放態様としては、例えば所定時間（例えば３０ｓｅｃ）の経過又は所定個数（例えば１０個）の入賞を１ラウンドとして、複数ラウンド（例えば１５ラウンド）を上限とした開閉扉の開放が繰り返されるように設定されている。
【００４３】
可変入球装置８２は上記右ルートへ向けて遊技球が発射された場合にそれら遊技球が到達可能であり、且つ左ルートへ向けて遊技球が発射された場合にはそれら遊技球が到達不可となる位置に配置されている。
【００４４】
次に、可変表示ユニット９５について補足説明する。可変表示ユニット９５は、作動入球装置８３，８４への入賞をトリガとして図柄を可変表示（変動表示）する図柄表示装置９６を有している。図柄表示装置９６は、液晶ディスプレイを備えた液晶表示装置として構成されており、後述する表示制御装置によりその表示内容が制御される。図柄表示装置９６の表示画面９６ａにおいては、例えば上、中及び下に並べて図柄が表示され、これらの図柄が左右方向にスクロールされるようにして変動表示されるようになっている。そして、大当たりに当選した場合には、予め設定されている有効ライン上に所定の組み合わせの図柄が停止表示され、上記開閉実行モード（特別遊技状態又は大当たり）に移行することとなる。なお、図柄表示装置９６については必ずしも液晶表示装置である必要はなく、ドットマトリクスや７セグタイプの表示装置であってもよい。
【００４５】
遊技領域形成体８０ａには、中央開口を囲むようにしてセンターフレーム９７が設けられている。センターフレーム９７は、遊技領域形成体８０ａ（詳しくは板体）に対してその前面側から固定されており、このように固定された状態では遊技領域形成体８０ａの前面から起立した状態となることで当該センターフレーム９７と上記ガラスユニット２２との間の隙間寸法が遊技球の直径寸法よりも小さくなるように構成されている。これにより、遊技領域ＰＥを流下する遊技球が図柄表示装置９６に衝突することが回避され、且つ遊技領域ＰＥを流下する遊技球の流下経路が可変表示ユニット９５（詳しくはセンターフレーム９７）を右側から迂回する上記右ルートと、左側から迂回する上記左ルートに大別されている。
【００４６】
なお、上述した可変入球装置８２、スルーゲート８６及び下作動入球装置８４（詳しくは下作動口８４ａ）については、右ルートに配置されており、左ルートを流下する遊技球はそれら可変入球装置８２及びスルーゲート８６に入賞することが実質的に困難となっている。一方、上作動入球装置８３（詳しくは上作動口８３ａ）については左ルートに配設されており、右ルートを流下する遊技球は上作動口８３ａに入賞することが回避される。このため、下作動口８４ａの電動役物８５が高頻度サポートモードになっている場合又は開閉実行モードとなっている場合には、右ルートへ遊技球を発射することで遊技を有利に進めることができ、低頻度サポートモードとなっている場合には左ルートへ遊技球を発射することで遊技を有利に進めることができる。つまり、遊技者は、遊技状況に応じて遊技球の流下経路を右ルート／左ルートから選択することにより、遊技を有利に進めることが可能となる。
【００４７】
センターフレーム９７の下部を構成している枠部の上面には、遊技球が左右に転動可能なステージ部が形成されている。センターフレーム９７の左右の左枠部に形成された流入口から流入した遊技球は、同じくセンターフレーム９７に形成されたワープ通路を通じてステージ部上に排出される。ステージ部については、当該ステージ部に到達した遊技球が比較的上作動口８３ａへと流入しやすくなるように構成されており、このステージ部上での遊技球の動きに対する遊技者の注目度向上に貢献している。
【００４８】
また、センターフレーム９７の下部を構成している枠部の前面には、第１保留ランプ部９８ａ及び第２保留ランプ部９８ｂが設けられている。左側の第１保留ランプ部９８ａは、後述する第１入球部に対応しており遊技球が第１入球部を通過した回数は最大４回まで保留され第１保留ランプ部９８ａの点灯によってその保留数が表示されるようになっている。右側の第２保留ランプ部９８ｂは、後述する第２入球部に対応しており、遊技球が第２入球部を通過した回数は最大４回まで保留され第２保留ランプ部９８ｂの点灯によってその保留数が表示されるようになっている。
【００４９】
遊技領域形成体８０ａにおける右側の端部（後述する遊技盤ユニット８０の回動先端部）には後述する誘導レール１００とともに遊技領域ＰＥを区画形成する遊技領域区画部材９９が配設されている。遊技領域区画部材９９には、主表示ユニット８７が配置されているだけでなく、上記センターフレーム９７とともに右ルートを流下する遊技球用の球通路を形成する機能が付与されている。
【００５０】
右ルートにおいて当該球通路よりも上流側に位置する部分（右ルートの入口部分）には、誘導レール１００に沿って飛翔した遊技球が衝突するストッパ部材が配設されている。ストッパ部材は緩衝部材であり、当該ストッパ部材に衝突した遊技球はその勢いが弱められた後、上記入口部分を通じて右ルートへ流入することとなる。つまり、ストッパ部材には衝突した遊技球の勢いを弱める減勢機能が付与されており、勢いが弱められた状態で可変入球装置８２に向けて落下する。本実施の形態に示す可変入球装置８２には開閉体としてのシャッタ部材が設けられている。シャッタ部材については閉状態となることで、当該可変入球装置８２に到達した遊技球を下作動口８４ａへ案内する横長状の連絡通路（詳しくは通路底面）を形成する構成となっている。このため、右ルートを流下する遊技球はシャッタ部材が開いている状態では可変入球装置８２へと入賞し、シャッタ部材が閉じている状態では可変入球装置８２を横切って下作動口８４ａに向けて流下することとなる。
【００５１】
次に、主表示ユニット８７について補足説明する。主表示ユニット８７は遊技領域区画部材９９に埋設されており、その一部がガラスユニット２２と対向するように配置されている。この対向している部分には、所定の絵柄等が表示される主表示部Ｄが設けられている。主表示ユニット８７については、後述する主制御装置に電気的に接続されており、主表示部の表示内容は当該主制御装置によって制御される構成となっている。
【００５２】
主表示部Ｄは、後述する第１分岐通路部への入賞に基づいた抽選結果を表示する第１入球部用表示部（以下、第１作動入球部用表示部ともいう）と、後述する第２分岐通路部への入賞に基づいて行われた抽選結果を表示する第２入球部用表示部（以下、第２作動入球部用表示部ともいう）とを有している。第１入球部用表示部では、第１分岐通路部への入賞をトリガとして絵柄の変動表示が行われ、その変動表示の停止結果として、第１分岐通路部への入賞に基づいて行われた内部抽選の結果が明示される。第１分岐通路部への入賞に基づく内部抽選の結果が開閉実行モードへの移行に対応した当選結果であった場合には、第１入球部用表示部にて変動表示が停止され、停止結果として所定の絵柄が表示された後に、上記開閉実行モードへ移行される。
【００５３】
第２入球部用表示部では、第２分岐通路部への入賞をトリガとして絵柄の変動表示が行われ、その変動表示の停止結果として、第２分岐通路部への入賞に基づいて行われた内部抽選の結果が明示される。第２分岐通路部への入賞に基づく内部抽選の結果が大当たりに対応した当選結果であった場合には、第２入球部用表示部にて変動表示が停止され、停止結果として所定の絵柄が表示された後に、その結果に応じて上記開閉実行モードへ移行される。
【００５４】
ここで、いずれかの入球部への入賞に基づいて、対応する作動入球部用表示部にて変動表示が開始され、所定の停止結果を表示し上記変動表示が停止され→停止表示された結果が所定の確定時間に亘って継続される（確定表示が終了する）までが遊技回の１回に相当する。つまり、本実施の形態における１遊技回の実行時間は、主表示部Ｄにおける絵柄の変動表示時間と確定表示時間との和となるように設定されている。
【００５５】
但し、遊技回の１回は、上記の内容に限定されることはなく、例えば、単一の表示領域が設けられ、いずれの入球部への入賞が発生したとしてもその単一の表示領域にて変動表示が行われる構成においては、当該単一の表示領域にて変動表示が開始され、所定の停止結果を表示した状態で上記確定表示が終了するまでを遊技回の１回とすることも可能である。
【００５６】
本実施の形態にて作動入球部用表示部に停止表示される絵柄については多様となっており、その絵柄を目視で確認することで、後述するどの種類の大当たりに当選したかを判別することが困難となっている。但し、このような工夫については必須の構成ではなく、大当たりの種別を容易に判別できるように停止表示される絵柄の種類を減らすことも可能である。
【００５７】
また、主表示ユニット８７の主表示部Ｄには上記両表示部以外に、スルーゲート８６への入賞に基づいた抽選結果を表示するスルーゲート用表示部が併設されている。スルーゲート用表示部では、スルーゲート８６への入賞をトリガとして絵柄の変動表示が行われ、その変動表示の停止結果として、スルーゲート８６への入賞に基づいて行われた内部抽選（サポート抽選）の結果が明示される。スルーゲート８６への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、下作動口８４ａに設けられた上記電動役物８５が所定の態様で開放される。
【００５８】
更に、本実施の形態においては遊技球がスルーゲート８６を通過した回数は最大４回まで保留される構成が採用されているが、主表示ユニット８７の主表示部Ｄにはその保留個数を表示する保留数用表示部が設けられている。
【００５９】
以上詳述した主表示部Ｄについては、前扉枠１４のガラスユニット２２を通じてパチンコ機１０前方から視認可能となっているとともに、これら各種表示部の前方を遊技球が移動することが回避されているため、その視認性が担保されている。
【００６０】
再び図５を用いて内枠１３の構成について説明すれば、内枠ベース体５０における遊技盤ユニット８０の下方には、上記遊技球発射ハンドル４１の操作に基づいて遊技領域ＰＥへ遊技球を発射する遊技球発射機構１１０が設けられている。
【００６１】
（遊技球発射機構１１０）
遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が内枠ベース体５０に固定されることで、同内枠ベース体５０に対して一体化されている。
【００６２】
発射レール１１２は、遊技領域形成体８０ａ側に向けて上り傾斜となるように、斜めに傾いた状態でベースプレート１１４に固定されている。発射レール１１２には断面略Ｖ字状の溝部が形成されており、その溝状部分に遊技球が嵌ることにより当該遊技球の前後位置が規定されるように構成されている。
【００６３】
発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００６４】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技領域形成体８０ａ側、詳しくは遊技領域形成体８０ａに装着された誘導レール１００に向けて打ち出される。
【００６５】
誘導レール１００は、遊技領域形成体８０ａ（詳しくは板体の前面）に固定された遊技領域区画部材９９とともに遊技領域ＰＥを同遊技領域ＰＥの外形が略円形状となるように区画形成している。また、誘導レール１００は、遊技球の直径よりも大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技領域形成体８０ａにおいて出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００６６】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。つまり、遊技領域ＰＥへと遊技球を届けるようにして遊技球を発射した場合には誘導通路１０３において外レール１０２に沿った領域が実質的に遊技球が通過する通過領域（通過経路）を構成し、内レール１０１に沿う領域については実質的に遊技球が通過しない領域となる。
【００６７】
同図５に示すように、誘導レール１００及び発射レール１１２は、同誘導レール１００の入口部分１０４と発射レール１１２の先端部分とが遊技領域形成体８０ａの下端縁を挟んで斜めに対峙するように配置されている。つまり、それら両レール１００，１１２は、同誘導レール１００の入口部分１０４と発射レール１１２の先端部分とが遊技領域形成体８０ａの下端縁近傍にて左右にずれるようにして配置されている。これにより両レール１００，１１２を遊技領域形成体８０ａの下端縁に近づけつつ、誘導レール１００の入口部分１０４と発射レール１１２との間には所定間隔の隙間を形成している。
【００６８】
このようにして形成された隙間よりも下側にはファール球通路が配設されている。ファール球通路は前扉枠１４の通路形成ユニット４５に一体成形されている。仮に遊技球発射機構１１０から発射された遊技球が遊技領域ＰＥまで至らずファール球として誘導通路１０３内を逆戻りする場合には、それらファール球が上記隙間を介してファール球通路内に入ることとなる。ファール球通路は前扉側下皿通路に通じており、ファール球通路に入った遊技球は図１に示した下皿３４に排出される。これにより、ファール球と次に発射される遊技球との干渉が抑制される。
【００６９】
遊技領域形成体８０ａの左端部には外レール１０２を側方から覆うようにしてレールカバー１０７が設けられている。遊技盤ユニット８０については、製造時やメンテナンス作業時に単体で取り扱われることが多く、この際に外レール１０２が遊技台等に衝突し得る。レールカバー１０７はこのような事情に鑑みて搭載された部材であり、外レール１０２が上記要因等によって変形することを防止する保護機能が付与されている。
【００７０】
内枠ベース体５０において発射レール１１２の左方（詳しくは前扉枠１４を支持している側）には内枠ベース体５０を前後方向に貫通する貫通孔が形成されており、この貫通孔に通路形成部材１２１が配設されている。通路形成部材１２１は、内枠ベース体５０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニットの受口部が入り込んでおり、本体側上皿通路１２２の下方には前扉側上皿通路が配置され、本体側下皿通路１２３の下方には前扉側上皿通路が配置されている。
【００７１】
内枠ベース体５０において通路形成部材１２１の下方には、本体側上皿通路１２２及び本体側下皿通路１２３を開閉する開閉部材１２４が取り付けられている。開閉部材１２４は本体側上皿通路１２２及び本体側下皿通路１２３を閉鎖する前方位置に付勢されており、前扉枠１４が開放された場合には、この付勢力によって各開閉部材１２４が閉状態となることで、各通路１２２，１２３からの遊技球の脱落が回避されることとなる。これに対し、前扉枠１４を閉じた状態では、前扉枠１４の通路形成ユニット４５に設けられた受口部により付勢力に抗して開閉部材１２４が押し開けられる。この状態では、本体側上皿通路１２２と前扉側上皿通路とが連通し、さらに本体側下皿通路１２３と前扉側下皿通路とが連通する。
【００７２】
次に、図７及び図８に基づき内枠１３（内枠ベース体５０及び遊技盤ユニット８０）の背面構成について説明する。図８は内枠１３の背面図である。
【００７３】
図８に示すように内枠ベース体５０の背面における回動基端側（図８の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、内枠ベース体５０の背面には、裏パックユニット１５を閉じた状態で同内枠ベース体５０に固定するための固定レバー１３４が複数設けられている。
【００７４】
既に説明したように内枠ベース体５０における収容凹部（遊技盤収容部）５１の底部分には内枠ベース体５０の厚さ方向に貫通し同内枠ベース体５０の背面側に開放された窓孔５２が形成されており、その窓孔５２が収容凹部５１に収容された遊技盤ユニット８０によって内枠１３の正面側から覆われている。遊技盤ユニット８０（背面ブロック８０ｂ）の背面には制御装置等の各種構成が搭載されており、それら各種構成は窓孔５２を通じて内枠１３の背側に露出した状態となっている。ここで、遊技盤ユニット８０の背面の構成について説明する。
【００７５】
既に説明したように遊技領域形成体８０ａの背面には、背面ブロック８０ｂが取り付けられている。図７に示すように、背面ブロック８０ｂは、遊技領域形成体８０ａ側に開放された略箱状のベース体２５１を有してなり、このベース体２５１が遊技領域形成体８０ａの背面に固定されることで、遊技領域形成体８０ａと背面ブロック８０ｂとが一体化されている。
【００７６】
ベース体２５１の前面側は、可動式の演出機構や発光可能な装飾部材等の配置領域となっており、その背面側はそれら各種構成を制御する制御装置や上記可変表示ユニット９５（図柄表示装置９６）の配置領域となっている。
【００７７】
より具体的には、ベース体２５１の一部が内枠ベース体５０の背面側に突出しており、その突出した部分に対して上述した図柄表示装置９６（図６参照）と、その図柄表示装置９６を駆動するための表示制御装置とが取り付けられている。これら図柄表示装置９６及び表示制御装置は前後方向（内枠ベース体５０の厚さ方向）に図柄表示装置が前側且つ表示制御装置が後側となるように重ねて配置されている。さらに、ベース体２５１の背面部には、表示制御装置の後方に位置するようにして報知・演出制御装置１４３が搭載されている。
【００７８】
報知・演出制御装置１４３は、後述する主制御装置からの指示に従い音声の出力やランプ表示、及び表示制御装置の制御を司る報知・演出制御基板を具備しており、報知・演出制御基板が透明樹脂材料等よりなる基板ボックス１４１に収容されて構成されている。
【００７９】
報知・演出制御装置１４３の下方には、ベース体２５１を後方から覆うようにして主制御装置ユニット１６０が設けられている。主制御装置ユニット１６０は、遊技盤ユニット８０（詳しくは背面ブロック８０ｂ）の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００８０】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００８１】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００８２】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００８３】
ベース体２５１の前面部において遊技領域形成体８０ａの背面下部と対向している部分には、前記一般入賞口８１，可変入球装置８２、作動口８３ａ，８３ｂの遊技盤開口部に対応し且つ下流側で１カ所に集合する回収通路（図示略）が形成されている。これにより、一般入賞口８１等に入賞した遊技球は何れも回収通路を介して遊技盤ユニット８０の下方に集合する構成となっている。つまり、ベース体２５１には各種入賞口に入賞した遊技球を回収する機能が付与されている。
【００８４】
遊技盤ユニット８０の下方には後述する排出通路が配されており、回収通路によって遊技盤ユニット８０の下方に集合した遊技球は排出通路内に導出される。なお、アウト口８９についても同様に排出通路に通じており、何れの入賞口にも入賞しなかった遊技球はアウト口８９を介して排出通路内に導出される。
【００８５】
また、背面ブロック８０ｂを構成するベース体２５１には、上述した各入球部用の検知センサとして、上記一般入賞口８１に入賞した遊技球を検知する一般入賞口用検知センサと、上作動入球装置８３に入った遊技球を検知する作動入球装置用検知センサ、下作動入球装置８４に入った遊技球を検知する作動入球装置用検知センサとが装着されており、それら各種検知センサによって入賞検知機構が構成されている。これら各種検知センサは主制御装置１６２に対して電気的に接続されており、各検知センサから検知情報（検知信号）が同主制御装置１６２に出力される構成となっている。
【００８６】
次に、図９及び図１０に基づき裏パックユニット１５について説明する。図９はパチンコ機１０の背面図、図１０は裏パックユニット１５の正面図である。
【００８７】
図９に示すように、内枠１３は裏パックユニット１５によって後方から覆われている。裏パックユニット１５は、裏パックユニット１５の本体部としての裏パック２０１を備えており、当該裏パック２０１に対して、払出機構部２０２、排出通路盤及び制御装置集合ユニット２０４が取り付けられている。
【００８８】
裏パック２０１は、透明性を有する合成樹脂により成形されており、図１０に示すように払出機構部２０２等が取り付けられるベース部２１１と、パチンコ機１０後方に突出し略直方体形状をなす保護カバー部２１２とを有してなる。保護カバー部２１２は左右側面及び上面が閉鎖され且つ下面のみが開放された形状をなし、少なくとも可変表示ユニット９５を囲むのに十分な大きさを有する（図９参照）。
【００８９】
ベース部２１１には、外部出力端子板２１３が設けられている。外部出力端子板２１３には各種の出力端子が設けられており、これらの出力端子を通じて遊技ホール側の管理制御装置（ホールコンピュータ）に対して各種信号が出力される。また、図１０に示すように、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部が形成されており、固定レバー１３４が挿通部に挿通された状態にてベース部２１１に後方から当接することにより内枠１３に対して裏パックユニット１５が固定されている。
【００９０】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の側方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００９１】
遊技球分配部２２５は、払出装置２２４より払い出された遊技球を上皿３３、下皿３４又は後述する排出通路の何れかに振り分けるための機能を有し、内側の開口部が上述した本体側上皿通路１２２及び前扉側上皿通路を介して上皿３３に通じ、外側の開口部が本体側下皿通路１２３及び前扉側下皿通路を介して下皿３４に通じるように形成されている。
【００９２】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００９３】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００９４】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００９５】
電源・発射制御装置２４３は、基板ボックス２４６内に電源・発射制御基板が収容されている。電源・発射制御基板により、各種制御装置等で要する所定の電源が生成されて出力され、さらに遊技者による遊技球発射ハンドル４１の操作に伴う遊技球の打ち出しの制御が行われる。具体的には、遊技球発射機構１１０を構成しているソレノイド１１１の駆動制御や球送装置１１３の駆動制御が実行される。
【００９６】
また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００９７】
ここで、本パチンコ機１０は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。一方、主制御装置１６２に設けられたＲＡＭ消去スイッチ１６６を押しながら電源を投入すると、ＲＡＭデータが初期化されるようになっている。
【００９８】
これら各種スイッチについては、遊技機主部１２（内枠１３）を開放して内枠１３の背面部を露出させることで遊技機正面側から操作可能となる。一方で、上記施錠装置７５によって遊技機主部１２の開放が規制されている状態では、遊技機正面側からそれら各種スイッチを操作することができない。つまり、上記各種スイッチについては遊技機主部１２を閉じた状態では操作されにくくなっており、施錠装置７５用のキーを所有していないもの（例えば不正行為者）による遊技機正面側からの操作を困難なものとしている。
【００９９】
以上詳述した本実施の形態においては、遊技盤ユニット８０の上作動入球装置８３に設けられた遊技球の振り分けに係る構成が特徴的なものとなっている。そこで以下、図１１及び図１２を参照して上作動入球装置８３について補足説明する。図１１は上作動入球装置８３の斜視図、図１２は上作動入球装置８３を主要な構成毎に分解して示す分解斜視図である。
【０１００】
図１１に示すように、上作動入球装置８３は、略箱状をなすハウジング３０３を有しており、当該ハウジング３０３の天井部分（上部）に上方に開放された上記上作動口８３ａが形成されている。ハウジング３０３の内部には、上作動口８３ａと遊技領域形成体８０ａの背面側に設けられた回収通路とを繋ぐ球通路３０８が形成されており、上作動口８３ａに流入した遊技球は、この球通路３０８を通じて遊技領域ＰＥから排出され、回収通路を経て遊技ホールの島設備に返却される構成となっている。
【０１０１】
図１２に示すように、ハウジング３０３は、当該ハウジング３０３の前面部分を構成する表側構成体３１１と、背面部分を構成する裏側構成体３１２が組み合わされてなり、それら表側構成体３１１及び裏側構成体３１２によって球通路３０８を通過する遊技球の振り分けを行う振分機構３００が収容されている。
【０１０２】
振分機構３００は、振分部材としての回転体３０１と回転体３０１を回転可能に保持するホルダ３０２とを有してなり、表側構成体３１１及び裏側構成体３１２によって前後に挟まれた状態でハウジング３０３に一体化されている。ホルダ３０２はその一部がハウジング３０３の外側に延出しており、この延出部分が遊技領域形成体８０ａに対する上作動入球装置８３の取付部としての機能している。ホルダ３０２が遊技領域形成体８０ａに対して遊技機前方から取り付けられた状態では、表側構成体３１１及びホルダ３０２の一部が遊技領域形成体８０ａの前面から膨出した状態となっており、この膨出部分に球通路３０８の入口部分を構成する上作動口８３ａが配設されている。
【０１０３】
ここで、図１３及び図１４（ａ）を参照して、上作動入球装置８３に形成された球通路３０８について補足説明する。図１３は上作動入球装置８３の内部構造を示す概略図、図１４（ａ）は表側構成体３１１の背面部分を示す斜視図である。
【０１０４】
図１３に示すように球通路３０８は、上作動口８３ａに流入した遊技球を回転体３０１へ導く上流側通路部３２６と、回転体３０１から排出された遊技球が通過する下流側通路部３２８とに大別される。図１４に示すように、球通路３０８は、下流側通路部３２８は、球通路３０８における回転体３０１の配設箇所（分岐部３２７）にて二股（左右）に分岐しており、この分岐部３２７を通過した遊技球は下流側通路部３２８を構成する左側の第１分岐通路部３３１及び右側の第２分岐通路部３３２の何れかに流入することとなる。
【０１０５】
第１分岐通路部３３１には遊技球を検知する第１検知センサ３０５（図１３参照）が配設されている。第１検知センサ３０５は主制御装置１６２に接続されており、主制御装置１６２においては第１検知センサ３０５からの検知情報（検知信号）に基づいて第１分岐通路部３３１への入球を監視し、入球が発生したことを特定した場合には第１所定数（詳しくは３個）の賞球を遊技者に払い出す処理を行う。
【０１０６】
第２分岐通路部３３２には遊技球を検知する第２検知センサ３０６（図１２参照）が配設されている。第２検知センサ３０６は主制御装置１６２に接続されており、主制御装置１６２においては第２検知センサ３０６からの検知情報（検知信号）に基づいて第２分岐通路部３３２への入球を監視し、入球が発生したことを特定した場合には第２所定数（詳しくは４個）の賞球を遊技者に払い出す処理を行う。
【０１０７】
このように、賞球数を比較した場合には、第１分岐通路部３３１への入球よりも第２分岐通路部３３２への入球の方が遊技者に有利となるように差が設定されている。本実施の形態においては、大当たり結果として１５Ｒ確変大当たり結果、８Ｒ確変大当たり結果、１５Ｒ通常大当たり結果、８Ｒ通常大当たり結果が設けられている。第２分岐通路部３３２への入球に基づいて大当たり結果の振分抽選が行われる場合には、第１分岐通路部３３１への入球に基づいて大当たり結果の振分抽選が行われる場合と比較して、ラウンド数が多い大当たり結果になる可能性が高くなるように差別化されている。これより、第１分岐通路部３３１に対する第２分岐通路部３３２の優位性が更に高くなっている。このような事情から、遊技者は少しでも遊技を有利に進める上で第２分岐通路部３３２への入球を期待して遊技を行うと想定される。なお、本実施の形態においては、下作動入球装置８４への入球が発生したことを特定した場合には、第２分岐通路部３３２への入球を特定した場合と同様の特典が遊技者に付与される。
【０１０８】
上作動口８３ａに流入した遊技球については、分岐部３２７を通過する際に回転体３０１によって第１分岐通路部３３１及び第２分岐通路部３３２に振り分けられることとなる。つまり、遊技球の振り分け先については回転体３０１に依存している。ここで、図１３，図１４（ｂ）及び図１５を参照して、回転体３０１及びそれに関連する構成について説明する。図１４（ｂ）は回転体３０１を示す斜視図、図１５（ａ）は回転体３０１の側面図、図１５（ｂ）は回転体３０１の正面図である。
【０１０９】
図１３に示すように、回転体３０１は、略円盤状をなしており、その中心部３５２には厚さ方向に貫通する軸孔３５１が形成されている。この軸孔３５１に挿通された軸ピンがホルダ３０２の軸受部３４２に固定されることで当該ホルダ３０２によって回転可能に保持されている。より詳しくは、回転体３０１は、上作動入球装置８３が遊技領域形成体８０ａに取り付けられた状態にて、その回転中心軸線ＣＬが遊技領域形成体８０ａの前面と平行（詳しくは水平）となるように構成されている。
【０１１０】
図１４（ｂ）に示すように、回転体３０１の外周部３５７には、遊技球を収容可能な第１収容凹部３６１（「第１案内部」に相当）及び第２収容凹部３７１（「第２案内部」に相当）が設けられている。第１収容凹部３６１及び第２収容凹部３７１は、中心部３５２側に凹んでおり、その深さ寸法は、遊技球の直径寸法よりも大きくなっている。これにより、第１収容凹部３６１及び第２収容凹部３７１に収容された遊技球については、外周部３５７からの突出が抑制されることとなる。
【０１１１】
第１収容凹部３６１及び第２収容凹部３７１は、各々複数（４つ）設けられており、回転体３０１の回転方向に交互となるように配列されている。つまり、第１収容凹部３６１は、回転体３０１の周方向に等間隔（９０°間隔）となるように配設されており、それら第１収容凹部３６１の間に第２収容凹部３７１が配設されている。
【０１１２】
第１収容凹部３６１は、回転中心軸線ＣＬと交差する方向（放射方向）に開放されており、上作動口８３ａに入った遊技球はこの開放部分３６２を通じて第１収容凹部３６１に流入する。つまり、開放部分３６２が第１収容凹部３６１における遊技球の入口部分として機能する。また、第１収容凹部３６１は、回転体３０１の側方（左側面部３５５側）に開放されている。第１収容凹部３６１へ流入した遊技球は、この開放部分３６３を通じて当該第１収容凹部３６１から流出し、第１分岐通路部３３１へ移る。つまり、開放部分３６３は、第１収容凹部３６１の出口部分として機能している。
【０１１３】
第２収容凹部３７１は、回転中心軸線ＣＬと交差する方向（放射方向）に開放されており、上作動口８３ａに入った遊技球はこの開放部分３７２を通じて第２収容凹部３７１に流入する。つまり、開放部分３７２が第２収容凹部３７１における遊技球の入口部分として機能する。また、第２収容凹部３７１は、回転体３０１の側方（右側面部３５６側）に開放されている。第２収容凹部３７１へ流入した遊技球は、この開放部分３７３を通じて当該第２収容凹部３７１から流出し、第２分岐通路部３３２へ移る。つまり、開放部分３７３は、第２収容凹部３７１の出口部分として機能している。
【０１１４】
図１２に示すように、ホルダ３０２には、前後方向に貫通し、回転体３０１が挿通される挿通部３４１が形成されている。挿通部３４１の横幅寸法については回転体３０１の厚さ寸法よりも僅かに大きくなっている。また、ホルダ３０２の後方に位置する裏側構成体３１２にも回転体３０１における後側の凡そ半分を収容する溝部３２１が形成されており、この溝部３２１の溝幅寸法についても回転体３０１の厚さ寸法よりも僅かに大きくなるように構成されている。つまり、回転体３０１にてホルダ３０２及び裏側構成体３１２に収容されている部分については、当該収容部分を形成している壁面部によって各収容凹部３６１，３７１の側方への開放部分３６３，３７３が覆われている（図１５（ａ）の一点鎖線参照）。これにより、上記壁面部によって覆われている範囲（重複範囲）においては、開放部分３６３，３７３からの遊技球の流出が規制され、収容凹部３６１，３７１が上記壁面部との重なりが回避された範囲（非重複範囲）へ移ることで、開放部分３６３，３７３からの遊技球の流出が許容されることとなる。
【０１１５】
本実施の形態に示す回転体３０１については、上流側通路部３２６の流出口３２６ａが下方を向いており、その直下となる位置に配置された収容凹部３６１，３７１へ遊技球が流入することとなる。つまり、流出口３２６ａの直下となる位置が遊技球の受入位置ＡＰとして設定されている。
【０１１６】
図１３等に示すように、この受入位置ＡＰについては回転中心軸線ＣＬよりも上側であって且つ前側となるように当該回転中心軸線ＣＬに対して斜め上方にずれている。このため、収容凹部３６１，３７１へ遊技球が流入すると、当該遊技球の自重及び流入時の勢いによって回転体３０１が所定方向（詳しくは回転体３０１にて球通路３０８側へ露出している部分が上側から下側に移動する方向）に回転する。このようにして回転することで、受入位置ＡＰに待機していた収容凹部３６１，３７１が降下する。受入位置ＡＰにおいては開放部分３６３，３７３の一部が上記壁面部と対峙しており、当該壁面部によって開放部分３６３，３７３からの遊技球の流出が規制されている。この位置から上記降下によって収容凹部３６１，３７１の位置が下方にずれると、壁面部による流出規制が解除されて、開放部分３６３，３７３が分岐通路部３３１，３３２の流入口３３１ａ，３３２ａ（図１４（ａ）参照）に連通する。これにより、遊技球の振り分けが完了するとともに、回転体３０１の回転位置が変化する。
【０１１７】
具体的には、受入位置ＡＰに第１収容凹部３６１が待機している状態（第１振分状態）となっている場合には、遊技球の第１分岐通路部３３１への振り分けに伴って、受入位置ＡＰに後続の第２収容凹部３７１が移る。これにより、回転体３０１は受入位置ＡＰに第２収容凹部３７１が待機している状態（第２振分状態）に切り替わることとなる。これに対して、第２振分状態となっている場合には、遊技球の第２分岐通路部３３２への振り分けに伴って、受入位置ＡＰに後続の第１収容凹部３６１が移る。これにより、回転体３０１は第１振分状態に切り替わることとなる。
【０１１８】
なお、ハウジング３０３には、回転体３０１を第１振分状態／第２振分状態に切り替える際に、その中間状態となることを規制する手段として、板バネ３０４が配設されている（図１３参照）。板バネ３０４は、回転体３０１の外周部３５７に形成された係合部３５８に係合することで、回転体３０１の位置を規定することが可能となっている。上述した遊技球の振り分けが行われる場合には、回転体３０１の回転力が板バネ３０４の付勢力を上回ることにより、回転規制が解除され、他方の振分状態に切り替わることとなる。因みに、規制解除時に板バネ３０４に蓄えられた復元力については、他方の振分状態への切り替わりを補助するように作用する。また、本実施の形態においては、この板バネ３０４は、回転体３０１の逆回転を規制する逆回転規制手段としての機能を併有している。
【０１１９】
次に、各収容凹部３６１，３７１へ流入した遊技球を開放部分３６３，３７３を通じてそれら収容凹部３６１，３７１から円滑に排出するための構成について補足説明する。
【０１２０】
図１４に示すように、回転体３０１の外周部３５７においては、回転中心軸線ＣＬの放射方向へ起立する仕切り部３５９によって第１収容凹部３６１及び第２収容凹部３７１が仕切られている。図１５（ｂ）に示すように、これら仕切り部３５９により各収容凹部３６１，３７１にて回転体３０１の回転方向における先側に位置する壁部３６５，３７５が側方に傾いている。
【０１２１】
第１収容凹部３６１に収容された遊技球については、回転体３０１の回転位置（姿勢）の変化に伴って当該壁部３６５側に偏ることとなるが、この壁部３６５が開放部分３６３側に傾いているため、収容中の遊技球が壁部３６５に沿って移動することで開放部分３６３に向かうこととなる。
【０１２２】
また、第２収容凹部３７１に収容された遊技球については、回転体３０１の回転位置（姿勢）の変化に伴って壁部３７５側に偏ることとなるが、この壁部３７５が開放部分３７３側に傾いているため、収容中の遊技球が壁部３７５に沿って移動することで開放部分３７３に向かうこととなる。
【０１２３】
ここで、図１６及び図１７を参照して、遊技球の振り分けの流れについて説明する。
【０１２４】
図１６（ａ）に示すように、回転体３０１が第１収容凹部３６１が受入位置ＡＰに待機している第１振分状態となっている状況下にて、上作動口８３ａの入球が発生すると、図１６（ａ）→図１６（ｂ）に示すように、この遊技球は受入位置ＡＰに待機中の第１収容凹部３６１へ流入する。
【０１２５】
図１６（ｂ）に示すように第１収容凹部３６１へ遊技球が流入すると、当該遊技球の重みや流入の勢いによって発生する回転体３０１の回転力が上記板バネ３０４（図１３参照）の規制力を上回ることで回転規制が解除され、当該第１収容凹部３６１を押し下げるようにして回転体３０１が所定方向へ向けた回転を開始する。
【０１２６】
図１６（ｂ）→図１６（ｃ）に示すように、回転体３０１が４５°回転すると、第１収容凹部３６１（詳しくは開放部分３６３）が第１分岐通路部３３１の流入口３３１ａに連通し、第１収容凹部３６１に収容されていた遊技球が第１分岐通路部３３１へ移る。これにより、回転体３０１の回転力が低下して、板バネ３０４による回転規制が再開され、それ以上の回転が不可となる。このように、遊技球の振り分けを終えることで回転体３０１は第２収容凹部３７１が受入位置ＡＰに移り、第２振分状態に切り替わる（図１６（ｄ）参照）。
【０１２７】
図１７（ａ）に示すように、回転体３０１が第２収容凹部３７１が受入位置ＡＰに待機している第２振分状態となっている状況下にて、上作動口８３ａの入球が発生すると、図１７（ａ）→図１７（ｂ）に示すように、この遊技球は受入位置ＡＰに待機中の第２収容凹部３７１へ流入する。
【０１２８】
図１７（ｂ）に示すように第２収容凹部３７１へ遊技球が流入すると、当該遊技球の重みや流入の勢いによって発生する回転体３０１の回転力が上記板バネ３０４（図１３参照）の規制力を上回ることで回転規制が解除され、当該第２収容凹部３７１を押し下げるようにして回転体３０１が所定方向へ向けた回転を開始する。
【０１２９】
図１７（ｂ）→図１７（ｃ）に示すように、回転体３０１が４５°回転すると、第２収容凹部３７１（詳しくは開放部分３７３）が第２分岐通路部３３２の流入口３３２ａに連通し、第２収容凹部３７１に収容されていた遊技球が第２分岐通路部３３２へ移る。これにより、回転体３０１の回転力が低下して、板バネ３０４による回転規制が再開され、それ以上の回転が不可となる。このように、遊技球の振り分けを終えることで回転体３０１は第１収容凹部３６１が受入位置ＡＰに移り、第１振分状態に切り替わる（図１７（ｄ）参照）。
【０１３０】
このように、本実施の形態においては基本的に、上作動口８３ａへ流入した遊技球については、相対的に不利となるように設定された第１分岐通路部３３１と相対的に有利となるように設定された第２分岐通路部３３２とに交互に振り分けられることとなる。
【０１３１】
ここで、本実施の形態においては、下作動入球装置８４（下作動口８４ａ）への入球に基づいて、上記回転体３０１の振分状態を強制的に切り替える構成が設けられていることを特徴の１つとしている。以下、図６及び図１８を参照して、この特徴的な構成について補足説明する。
【０１３２】
図６に示したように、上作動入球装置８３及び下作動入球装置８４はともに遊技領域ＰＥの下部に配設されている。図１８（ａ）に示すように、下作動入球装置８４に流入した遊技球が通過する排出通路８４ｂの途中位置（詳しくは下作動口８４ａ用の検知センサの下流位置）には、上作動入球装置８３（回転体３０１）と下作動入球装置８４とを繋ぐリンク機構３９０が接続されている。
【０１３３】
リンク機構３９０は、排出通路８４ｂにおける遊技球の移動経路へ突出する突出位置と、当該移動経路への突出が抑えられた退避位置とに変位可能な球受け部３９０ａを有している。球受け部３９０ａはリンク機構３９０の動力伝達部３９０ｂを介して回転体３０１の回転力が伝達される構成となっており、回転体３０１が上記第１振分状態となっている場合には球受け部３９０ａが退避位置に配置され、回転体３０１が上記第２振分状態となっている場合には球受け部３９０ａは突出位置に配置されることとなる。
【０１３４】
球受け部３９０ａが突出位置に配置された状態にて排出通路８４ｂを通過する遊技球によって球受け部３９０ａが押されると、その押圧力によって球受け部３９０ａが退避位置へと変位する。遊技球からの力は動力伝達部３９０ｂを介して回転体３０１に伝達され、この力によって回転体３０１が上記所定方向に所定角度（４５°）回転する。
【０１３５】
具体的には、図１８（ａ）に示すように、回転体３０１が第２受入状態となっている状況下にて下作動入球装置８４への入球が発生すると、図１８（ａ）→図１８（ｂ）に示すように球受け部３９０ａが突出位置から退避位置へと変位し、それに連動して回転体３０１が回転して第２受入状態から第１受入状態に切り替わる。
【０１３６】
これに対して、図１８（ｃ）に示すように、回転体３０１が第１受入状態となっている状況下にて下作動入球装置８４への入球が発生すると、図１８（ｃ）→図１８（ｄ）に示すように球受け部３９０ａは退避位置に留まることとなり、回転体３０１についても第１受入状態のままとなる。
【０１３７】
以上詳述した第１の実施の形態によれば、以下の優れた効果が期待できる。
【０１３８】
上作動入球装置８３（上作動口８３ａ）へ入球した遊技球は第１分岐通路部３３１（「第１位置」に相当）及び第２分岐通路部３３２（「第２位置」に相当）へ振り分けられることとなり、遊技球の振り分けに伴って振分先が交互に切り替わる。そして、遊技球の振分先については下作動入球装置８４（下作動口８４ａ）への入球によっても変化することとなり、上作動入球装置８３及び下作動入球装置８４を連携させて上作動入球装置８３における遊技球の振り分けの単調化を抑制できる。
【０１３９】
特に、回転体３０１は遊技球の振り分けに伴って第１振分状態及び第２振分状態の一方から他方に切り替わるだけでなく、下作動入球装置８４への入球に伴って第２振分状態に切り替わる。つまり、遊技球の振り分け先が第１分岐通路部３３１側に偏重する。このような偏りを発生させることで、遊技の単調化を好適に抑制できる。
【０１４０】
回転体３０１（「振分手段」に相当）が第２振分状態（相対的に有利な状態）となっている状況下にて上作動入球装置８３よりも遊技者に有利な下作動入球装置８４への入球が発生した場合、すなわち有利な状態が連続する場合には下作動入球装置８４への入球に基づいて回転体３０１が第２振分状態から第１振分状態に切り替えられることとなる。これにより、遊技が過度に遊技者に有利に偏ることを回避できる。このように強制的に不利側に切り替える場合であっても、その契機が相対的に有利な下作動入球装置８４への入球であるため、それが遊技者の遊技意欲の減退を招く要因になることを抑制できる。
【０１４１】
また、回転体３０１が第１振分状態（相対的に不利な状態）となっている状況下にて下作動入球装置８４への入球が発生した場合には、第１振分状態が維持されることとなる。これにより、遊技者に付与される特典が過剰になることを回避できる。第１振分状態維持の要因が相対的に有利な下作動入球装置８４への入球であるため、それが遊技者の遊技意欲の減退を招く要因になることを抑制できる。
【０１４２】
下作動入球装置８４へ流入した遊技球の重さや勢いを利用して、回転体３０１の振分状態を切り替える構成とすれば、上作動入球装置８３と下作動入球装置８４との連携を図る上で、駆動部等の別途アクチュエータが不要となり構成が過度に複雑化することを抑制できる。
【０１４３】
右ルートを流下する遊技球は上作動入球装置８３への入球が実質的に不可となるように構成されている。下作動入球装置８４への入球が容易となる高頻度サポートモードが終了して、低頻度サポートモードへ移行する場合には、遊技球の発射先が左ルートへ変更される。このようにして、狙い先を下作動入球装置８４から上作動入球装置８３へ変えた場合の上作動入球装置８３への一個目の入球の振分先を相対的に不利な第１分岐通路部３３１となるように規定することができる。これにより、遊技者に有利な状況を遊技球の発射先（流路）の変更と共に終了させることができる。故に、遊技のメリハリを強化できる。
【０１４４】
＜第２の実施の形態＞
本実施の形態においては２つの入球装置による連携を実現する上で、連携に係る構成の小型化を実現する工夫がなされていることを特徴の１つとしている。以下、図１９〜図２１を参照して、第１の実施の形態との相違点を中心に本実施の形態における特徴的な構成について説明し、第１の実施の形態と共通となる構成については説明を省略する。図１９は第２の実施の形態における作動入球ユニット４００Ｘを示す斜視図、図２０は作動入球ユニット４００Ｘを主要な構成毎に分解して示す分解斜視図、図２１（ａ）は回転体３０１Ｘの側面図（図２１（ｂ）のＡ矢視図）、図２１（ｂ）は回転体３０１Ｘの正面図である。
【０１４５】
本実施の形態においては、上記第１の実施の形態に示した上作動入球装置８３に下作動入球装置８４に相当する構成を組み込むことで作動入球ユニット４００Ｘを構成している。図１９に示すように、ハウジング３０３Ｘの側面部（詳しくは遊技領域ＰＥへ膨出する部分における側面部）には、下作動口８４ａＸが形成されている。また、ハウジング３０３Ｘには、下作動口８４ａＸへの遊技球の流入を阻止する阻止位置（閉状態）と、下作動口８４ａＸへの遊技球の流入を許容する許容位置（開状態）とに切替可能な電動役物８５Ｘが配設されている。また、図２０に示すように、作動入球ユニット４００Ｘには、下作動口８４ａＸへ流入した遊技球を第２分岐通路部３３２Ｘへ案内する連絡通路４２０Ｘが形成されている。連絡通路４２０Ｘは、回転体３０１Ｘの直下となる位置を通過するように配設されており、下作動口８４ａＸに流入した遊技球については、第２分岐通路部３３２Ｘに到達する過程で回転体３０１Ｘの近傍を通過することとなる。
【０１４６】
図２０に示すように、回転体３０１Ｘは、上記第１の実施の形態に示した回転体３０１に相当する構成（本体部３５３：図１３等参照）に加え、球受けブロック４０１Ｘを有している。球受けブロック４０１Ｘは軸ピンが挿通されたベース部４０２Ｘと、このベース部４０２Ｘから回転中心軸線ＣＬの放射方向に延びる複数（４つ）のアーム部４０３Ｘとにより構成されている。
【０１４７】
なお、回転体３０１Ｘについては、当該回転体３０１Ｘの本体部３５３及び球受けブロック４０１Ｘが一体成型されているが、両者を一体的に回転させることができるのであれば足り、両者を別体で形成してもよい。
【０１４８】
図２１に示すように、アーム部４０３Ｘは回転体３０１Ｘの外周部３５７よりも外側へ延出しており、回転体３０１Ｘの周方向に等間隔（９０°間隔）となるように配設されている。より具体的には、アーム部４０３Ｘは回転体３０１Ｘの左側（左側面部３５５側）に位置しており、回転中心軸線ＣＬ方向（左右方向）にて第２収容凹部３７１と横並びとなるように配列されている。これにより、第１収容凹部３６１の開放部分３６２，３６３を通過する遊技球との接触や、第２収容凹部３７１の開放部分３７２，３７３を通過する遊技球との接触が回避されている。上作動口８３ａから流入した遊技球が回転体３０１Ｘを経由して第１分岐通路部３３１及び第２分岐通路部３３２に振り分けられる点、遊技球の振り分けに伴って第１振分状態及び第２振分状態の一方から他方に切り替わる点については第１の実施の形態と同様である。
【０１４９】
図２２の概略図に示すように、下作動口８４ａＸと第２分岐通路部３３２とを繋ぐ連絡通路４２０Ｘについては、回転体３０１Ｘ（詳しくはアーム部４０３Ｘ）の直下となる位置を通過しているが、この連絡通路４２０Ｘにおける遊技球の移動経路に対してアーム部４０３Ｘが出没可能となっている。
【０１５０】
ここで、図２３の概略図を参照して、連絡通路４２０Ｘとアーム部４０３Ｘとの関係について補足説明する。
【０１５１】
連絡通路４２０Ｘは後方に延びる傾斜通路部４２１Ｘと、傾斜通路部４２１Ｘの最下流部分から下方に延びる鉛直通路部４２２Ｘとを有している。傾斜通路部４２１Ｘと鉛直通路部４２２Ｘとの境界部分は、回転体３０１Ｘの回転中心軸線ＣＬの下方に位置している。傾斜通路部４２１Ｘの通路壁面部と鉛直通路部４２２Ｘの通路壁面部とに跨るようにして、通路内外に貫通するスリット４２５Ｘが形成されている。
【０１５２】
スリット４２５Ｘはアーム部４０３Ｘが挿通可能となるように形成されており、このスリット４２５Ｘを通じてアーム部４０３Ｘの先端部分が連絡通路４２０Ｘにおける遊技球の移動経路へ突出可能となっている。
【０１５３】
図２３においては、回転体３０１Ｘが第２振分状態となっている。この状態では、１のアーム部４０３Ｘが連絡通路４２０Ｘ内へ突出する突出位置に配置されている。これに対して、回転体３０１Ｘが第１振分状態となっている場合には、全てのアーム部４０３Ｘが連絡通路４２０Ｘ内への突出が抑えられた退避位置に配置されることとなる。
【０１５４】
ここで、図２４〜図２５の概略図を参照して、回転体３０１Ｘによる遊技球の振り分けとアーム部４０３Ｘの位置との関係について説明する。
【０１５５】
図２４（ａ）に示すように、回転体３０１Ｘが第１振分状態となっている場合には、何れのアーム部４０３Ｘについても退避位置に配置されており、連絡通路４２０Ｘへの突出が回避されている。第１振分状態となっている状況下にて上作動口８３ａへの入球が発生すると、遊技球が受入位置ＡＰに待機している第１収容凹部３６１へ流入し、この遊技球の重さ及び流入時の勢いによって回転体３０１Ｘが所定方向に回転する。
【０１５６】
図２４（ｂ）→図２４（ｃ）に示すように、回転体３０１Ｘが所定方向に回転すると、それに合わせてアーム部４０３Ｘが退避位置から突出位置へと移動する。回転体３０１Ｘが第１振分状態から第２振分状態に切り替わることにより、アーム部４０３Ｘの突出位置への移動が完了し、連絡通路４２０Ｘを移動する移動経路上にアーム部４０３Ｘが待機することとなる（図２４（ｄ）参照）。
【０１５７】
図２６（ａ）に示すように、第２振分状態となっている状況下にて下作動口８４ａＸへの入球が発生すると、下作動口８４ａＸに流入した遊技球は連絡通路４２０Ｘを通じて第２分岐通路部３３２へ向かう。この過程で、当該遊技球は突出位置に待機中のアーム部４０３Ｘに衝突する。アーム部４０３Ｘは遊技球に押されることで、遊技球の流下方向に押される。これにより、回転体３０１Ｘが所定方向に回転することとなる。
【０１５８】
図２６（ａ）→図２６（ｂ）に示すように、傾斜通路部４２１Ｘを通過する遊技球がアーム部４０３Ｘを押しのけるようにして鉛直通路部４２２Ｘに到達すると、遊技球とともに通路下流側へ変位したアーム部４０３Ｘが退避位置へ到達する。その後は、遊技が延徳通路部４２Ｘに沿って回転体３０１Ｘから遠ざかることにより、遊技球がアーム部４０３Ｘから離脱する。これにより、回転体３０１Ｘの回転が終了する。
【０１５９】
図２６（ｂ）に示すように、回転体３０１Ｘの回転が終了することで、当該回転体３０１Ｘが第２振分状態から第１振分状態に切り替わる。この状態にて、上作動口８３ａへの入球が発生した場合には、当該遊技球は第１分岐通路部３３１へ振り分けられることとなる。
【０１６０】
図２５（ａ）に示すように、回転体３０１Ｘが第２振分状態となっている場合には、１のアーム部４０３Ｘが突出位置に配置されている。第２振分状態となっている状況下にて上作動口８３ａへの入球が発生すると、遊技球が受入位置ＡＰに待機している第２収容凹部３７１へ流入し、この遊技球の重さ及び流入時の勢いによって回転体３０１Ｘが所定方向に回転する。
【０１６１】
図２５（ｂ）→図２５（ｃ）に示すように、回転体３０１Ｘが所定方向に回転すると、それに合わせてアーム部４０３Ｘが突出位置から退避位置へと移動する。回転体３０１Ｘが第２振分状態から第１振分状態に切り替わることにより、アーム部４０３Ｘの突出位置への移動が完了し、連絡通路４２０Ｘを移動する移動経路上にアーム部４０３Ｘが待機することとなる（図２５（ｄ）参照）。
【０１６２】
図２６（ｃ）に示すように、第１振分状態となっている状況下にて下作動口８４ａＸへの入球が発生すると、下作動口８４ａＸに流入した遊技球は連絡通路４２０Ｘを通じて第２分岐通路部３３２へ向かう。この過程では、アーム部４０３Ｘが退避位置に待機中であるため、当該アーム部４０３Ｘと遊技球との衝突が回避される。
【０１６３】
このため、図２６（ｃ）→図２６（ｄ）に示すように、遊技球が傾斜通路部４２１Ｘ→鉛直通路部４２２Ｘを通過しても、それに起因して回転体３０１Ｘが回転することはなく、第１振分状態が維持される。故に、この状態にて、上作動口８３ａへの入球が発生した場合には、当該遊技球は第１分岐通路部３３１へ振り分けられることとなる。
【０１６４】
本実施の形態に示したように、回転体３０１Ｘの外周部３５７Ｘから突出するアーム部４０３Ｘによって下作動口８４ａＸへの入球を回転体３０１Ｘの振分状態に反映させることが可能となれば、第１の実施の形態に示した単調化抑制効果を発揮させるための構成を小型化し、その配置自由度を好適に向上させることができる。
【０１６５】
また、下作動口８４ａＸへ流入した遊技球の重さや勢いを利用して回転体３０１Ｘを回転させる上ではその動力を大きくすることは困難である。この点、本実施の形態に示す構成によれば、動力の伝達経路を簡素化して伝達ロスを軽減することができ、上記課題を好適に解消することができる。
【０１６６】
上作動口８３ａへの入球に基づく回転体３０１Ｘの回転方向と、下作動口８４ａＸへの入球に基づく回転体３０１Ｘの回転方向とを同じ方向とした。このため、仮に上作動口８３ａ及び下作動口８４ａＸの両方に遊技球が同時に入球した場合であっても、それにより回転体３０１Ｘの動きが妨げられることを抑制できる。これは、遊技球の流れの円滑化を図る上で好ましい。
【０１６７】
連絡通路４２０Ｘの傾斜通路部４２１Ｘは、通路方向が回転体３０１Ｘと近接する箇所において当該近接箇所におけるアーム部４０３Ｘの変位方向と同じ方向となるように形成されている。このような構成とすることにより、傾斜通路部４２１Ｘを流下する遊技球の動きがアーム部４０３Ｘによって阻害されることを好適に抑制できる。故に、連絡通路４２０Ｘを通じて第２分岐通路部３３２へ移動するのに要する所要期間の間延びを抑え、第２分岐通路部３３２への到達に基づいて遊技者に特典等を付与する際の応答性の低下を好適に抑制できる。
【０１６８】
第１収容凹部３６１及び第２収容凹部３７１は、回転体３０１Ｘの回転方向にて交互となるように配設されており、回転体３０１Ｘは、アーム部４０３Ｘが遊技球に押された場合に当該回転体３０１Ｘが回転する回転角度が、受入位置ＡＰに位置する収容凹部が第１収容凹部３６１及び第２収容凹部３７１の一方からその隣に配設された他方に切り替わる回転角度となるように構成されている。この構成によれば、連絡通路４２０Ｘを遊技球が通過することにより、回転体３０１Ｘによる遊技球の振分先が切り替わることとなる。この際、受入位置ＡＰに位置する対象が隣り合う第１収容凹部３６１及び第２収容凹部３７１の一方から他方に切り替わる構成とすることにより、連絡通路４２０Ｘにおいてアーム部４０３Ｘが遊技球に押される区間を短くすることができる。これは、上述した応答性の低下を抑える上で好ましい。
【０１６９】
回転体３０１Ｘの本体部３５３と球受けブロック４０１Ｘとを回転中心軸線ＣＬ方向に並設した。れのように球受けブロック４０１Ｘのオフセットさせることにより、連絡通路４２０Ｘを回転体３０１Ｘの本体部３５３に近づけて配設することが可能となる。これは、作動入球ユニット４００Ｘの小型化を促進し、当該作動入球ユニット４００Ｘの配置自由度の向上を図る上で好ましい。
【０１７０】
＜その他の実施の形態＞
なお、上述した各実施の形態の記載内容に限定されず例えば次のように実施してもよい。ちなみに、以下の各構成を個別に上記各実施の形態に対して適用してもよく、一部又は全部を組み合わせて上記各実施の形態に対して適用してもよい。また、上記各実施の形態に示した各種構成の全て又は一部を任意に組み合わせることも可能である。この場合、組み合わせの対象となる各構成の技術的意義（発揮される効果）が担保されることが好ましい。実施の形態の組み合わせからなる新たな構成に対して以下の各構成を個別に適用してもよく、一部又は全部を組み合わせて適用することも可能である。
【０１７１】
（１）上記各実施の形態では、「振分手段」を構成する回転体３０１を、上作動口８３ａ（「第１入球部」に相当）へ流入した遊技球を第１分岐通路部３３１（「第１位置」に相当）へ振り分ける第１振分状態と第２分岐通路部３３２（「第２位置」に相当）へ振り分ける第２振分状態とに切替可能とし、当該回転体３０１が第２振分状態となっている状況下にて下作動口８４ａ（「第２入球部」に相当）への入球が発生した場合に、当該入球に基づいて回転体３０１を第２振分状態から第１振分状態に切り替える構成としたが、これを以下のように変更してもよい。すなわち、回転体３０１が第１振分状態となっている状況下にて下作動口８４ａへの入球が発生した場合に、当該入球に基づいて回転体３０１を第１振分状態から第２振分状態に切り替える構成としてもよい。なお、回転体３０１が第１振分状態となっている状況下にて下作動口８４ａへの入球が発生した場合に、当該入球に基づいて回転体３０１を第１振分状態から第２振分状態に切り替え、且つ回転体３０１が第２振分状態となっている状況下にて下作動口８４ａへの入球が発生した場合に、当該入球に基づいて回転体３０１を第２振分状態から第１振分状態に切り替える構成とすることも可能である。
【０１７２】
（２）上記各実施の形態では、第１分岐通路部３３１及び第２分岐通路部３３２を比較した場合に振分抽選及び賞球数について第２分岐通路部３３２の方が遊技者に有利となるように設定し、上作動口８３ａへ流入した遊技球が第１分岐通路部３３１及び第２分岐通路部３３２へ流入し得る一方で下作動口８４ａへ流入した遊技球は第２分岐通路部３３２へのみ入球する構成とすることで上作動口８３ａに対する下作動口８４ａの優位性を確保したが、この有利不利の関係を逆にすることも可能である。この場合、回転体３０１が第１振分状態となっている状況下にて相対的に不利な下作動口８４ａへの入球が発生した場合に、当該入球に基づいて回転体３０１を第１振分状態から第２振分状態に切り替える構成となる。なお、この構成を更に変更し、回転体３０１が第２振分状態となっている状況下にて相対的に不利な下作動口８４ａへの入球が発生した場合に、当該入球に基づいて回転体３０１を第２振分状態から第１振分状態に切り替える構成とすることも可能である。
【０１７３】
（３）上記各実施の形態では、下作動口８４ａ（「第２入球部」に相当）に入球補助手段としての電動役物８５を併設することで下作動入球装置８４を可変式としたが、下作動入球装置８４を可変式とするか否かについては任意である。
【０１７４】
（４）上記各実施の形態に示した回転体３０１においては、上作動口８３ａへ流入した遊技球を第１分岐通路部３３１及び第２分岐通路部３３２に交互に振り分ける構成としたが、これに限定されるものではない。上作動口８３ａへ流入した遊技球を所定の順序で第１分岐通路部３３１及び第２分岐通路部３３２に振り分けることができるのであれば足り、その振分順序については任意である。例えば、同じ分岐通路部への振り分けが連続する構成とすることも可能である。
【０１７５】
また、第１分岐通路部３３１及び第２分岐通路部３３２への振分比率については１：１である必要は必ずしもない。例えば、振分先が第１分岐通路部３３１→第１分岐通路部３３１→第２分岐通路部３３２→第１分岐通路部３３１→・・・となるように振分比率に偏りを設けてもよい。
【０１７６】
（５）上記第２の実施の形態に示した球受けブロック４０１Ｘ（「球受け部」に相当）では、板状をなすアーム部４０３Ｘをその板面が回転体３０１Ｘの回転中心軸線ＣＬと交差する方向を向くように形成したが、これを変更し、板面が回転中心軸線ＣＬと同じ方向を向くように形成する構成としてもよい。このような構成とする場合には、アーム部の端面を遊技球が当たる当接部として機能させることが可能となり、遊技球の衝突に対する強度を好適に向上できる。これにより、例えば遊技球の衝突の勢い等によってアーム部に歪等の変形が生じることを好適に抑制できる。なお、連絡通路４２０Ｘに形成されるスリット４２５Ｘについても小さくすることができ、連絡通路４２０Ｘへの不正なアクセスを抑制したり、連絡通路４２０Ｘにおける遊技球の流れの円滑化を図ったりする上でも好ましい。
【０１７７】
（６）上記各実施の形態では、回転体３０１の回転中心軸線ＣＬが横向きとなるようにして当該回転体３０１を配設したが、回転体３０１の向きを以下のように変更してもよい。すなわち、回転体３０１の回転中心軸線ＣＬが前後方向に延びるように配設し、回転体３０１が遊技領域形成体８０ａの前面と平行に回動する構成としてもよい。
【０１７８】
（７）上記各実施の形態では、下作動口８４ａへの入球に基づいて回転体３０１を回動させる（例えば第２振分状態→第１振分状態に切り替える）構成としたが、これに限定されるものではない。他の入球部（例えば可変入球装置８２）への入球に基づいて回転体３０１を回動させる（例えば第２振分状態→第１振分状態に切り替える）構成とすることも可能である。
【０１７９】
（８）上記各実施の形態では、回転体３０１を所定方向とは反対に回転することを規制する規制手段（板バネ３０４）を用いたが、回転体３０１への遊技球の流入位置及び流入方向等を規制することで実質的に逆回転を防止できているのであれば、上記防止機構については省略することも可能である。
【０１８０】
また、回転体３０１について所定方向及び当該所定方向とは反対の方向への回転を許容し、上作動口８３ａへ流入した遊技球を受けた場合の回転方向と、下作動口８４ａへ流入した遊技球を受けた場合の回転方向とが逆となるように構成してもよい。但し、このような構成においては、上作動口８３ａ及び下作動口８４ａへの遊技球の流入が同時に発生することで、回転体３０１の回転が円滑に行われなくなる可能性がある。このような事情に配慮した場合には、回転体３０１の回転方向に優先順を設定すればよい。
【０１８１】
（９）上記第２の実施の形態では、下作動口８４ａに流入した遊技球が連絡通路４２０Ｘを経由して第２分岐通路部３３２へ流入する構成としたが、これに限定されるものではない。下作動口８４ａに流入した遊技球をそのまま回収通路へと導く排出通路を形成し、当該排出通路を回転体３０１Ｘの近傍を通過させる構成とすれば、排出通路における遊技球の通過領域をアーム部４０３Ｘの動作領域（通過領域）として利用可能である。
【０１８２】
（１０）上記各実施の形態では、上作動口８３ａへの入球に基づいて回転体３０１が回転する回転角度と、下作動口８４ａへの入球に基づいて回転体３０１が回転する回転角度とを統一したが、これらの回転角度を相違させることも可能である。
【０１８３】
例えば、遊技球の振り分け先として第３分岐通路部（例えば外れ）が設けられ且つ回転体３０１に第３分岐通路部へ遊技球を振り分ける第３振分状態が設定されている構成においては、第２案内状態となっている状況下にて下作動口８４ａへの入球が発生した場合には、回転体３０１を第１振分状態ではなく、当該第１振分状態を飛び越えて第３振分状態に切り替える構成としてもよい。
【０１８４】
（１１）上記各実施の形態では、下作動口８４ａの入球が発生した場合に、その遊技球の重さや移動の勢いを利用して回転体３０１を回動させる（例えば第２振分状態→第１振分状態に切り替える）構成としたが、これに限定されるものではない。下作動口８４ａへの入球に基づいて回転体３０１を回動させる（例えば第２振分状態→第１振分状態に切り替える）構成とする上では、例えば下作動口８４ａへの入球に基づいて動作するモータ等の駆動部を別途設け、この駆動部からの駆動力によって回転体３０１を回動させる（例えば第２振分状態→第１振分状態に切り替える）構成とすることも可能である。
【０１８５】
（１２）上記第２の実施の形態においては、回転体３０１Ｘの本体部３５３と球受けブロック４０１Ｘ（アーム部４０３Ｘ）とを回転中心軸線ＣＬ方向に並設したが、本実施の形態においては、アーム部４０３Ｘを外周部３５７に形成することも可能である。具体的には、第１収容凹部３６１と第２収容凹部３７１とが交互に配列されており、両者が仕切り部３５９によって仕切られている構成においては以下の構成とすることも可能である。すなわち、図２７（ｂ）の概略図に示すように、仕切り部３５９Ｙを回転中心軸線ＣＬの放射方向に延設することで、アーム部４０３Ｙを形成してもよい。
【０１８６】
（１３）上記第２の実施の形態や変形例（１２）に示したように、アーム部を利用して回転体３０１Ｘを回転させる構成とする場合には、図２７（ｂ）に示すように、アーム部４０３Ｚを回動可能に保持し、回動によって外周部３５７Ｚからの突出量が大きい突出状態と突出が抑えられた折りたたみ状態とに切り替える構成とする。そして、アーム部４０３Ｚをバネ部材等の付勢手段を用いて突出状態に維持し、全回転区間のうち連絡通路への突出が不要となる区間においてはハウジング等に当接することで付勢手段の付勢力に抗してアーム部４０３Ｚが折りたたみ状態に切り替わる構成とするとよい。これにより、回転体３０１Ｚの動作領域を好適に減縮できる。
【０１８７】
（１４）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１８８】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０１８９】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０１９０】
＜上記各実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１９１】
＜特徴Ａ群＞
以下の特徴Ａ群は、「パチンコ機等の遊技機には、遊技領域が形成された遊技盤と、遊技者による発射操作に基づいて当該遊技領域へ遊技球を発射する遊技球発射手段とを備えているものがある。遊技球発射手段から発射された遊技球が遊技領域に設けられた入球部へ入球することにより、所定数の遊技球の払い出し等の特典が遊技者に付与される（例えば特許文献１参照）。」という背景技術について、「上述したタイプの遊技機においては、例えば遊技の単調化等を抑制して遊技への注目度の向上を図る上で、その構成に未だ改善の余地がある。」という発明が解決しようとする課題をもってなされたものである。
【０１９２】
特徴Ａ１．遊技領域（遊技領域ＰＥ）が形成されている遊技盤（遊技盤ユニット８０）と、
遊技者の発射操作に基づいて前記遊技領域へ遊技球を発射する遊技球発射手段（遊技球発射機構１１０）と、
前記遊技領域に設けられた第１入球部（上作動口８３ａ）及び第２入球部（下作動口８４ａ）と、
前記第１入球部へ入球した遊技球を第１位置（第１分岐通路部３３１）に振り分ける第１振分状態と第２位置（第２分岐通路部３３２）に振り分ける第２振分状態とに切替可能な振分手段（回転体３０１）と
を備え、
前記振分手段は、遊技球の振り分けに伴って前記第１振分状態及び前記第２振分状態に切り替わる構成となっており、
前記第２入球部への入球に基づいて前記振分手段の状態を切替可能な切替手段（例えばリンク機構３９０や球受けブロック４０１Ｘ）を備えていることを特徴とする遊技機。
【０１９３】
特徴Ａ１によれば、第１入球部へ入った遊技球は第１位置及び第２位置へ振り分けられることとなり、当該遊技球の振り分けに伴って振分先が切り替わる。そして、遊技球の振分先については第２入球部への入球によっても変化することとなり、第１入球部及び第２入球部を連携させて第１入球部に係る遊技球の振り分けの単調化を抑制できる。
【０１９４】
特徴Ａ２．前記第１位置へ遊技球が到達したことに基づいて遊技者に第１特典（例えば３個の賞球）を付与する第１特典付与手段と、
前記第２位置へ遊技球が到達したことに基づいて遊技者に第２特典（例えば４個の賞球）を付与する第２特典付与手段と
を備え、
前記第２入球部への入球は、前記第１入球部への入球よりも遊技者に有利となっており、
前記切替手段は、前記振分手段が前記第２振分状態となっている状況下にて前記第２入球部への入球が発生した場合に、当該振分手段を前記第２振分状態から前記第１振分状態に切り替える構成となっていることを特徴とする特徴Ａ１に記載の遊技機。
【０１９５】
本特徴に示す構成によれば、振分手段が第２振分状態（相対的に有利な状態）にて第１入球部よりも有利な第２入球部への入球が発生した場合、すなわち有利な状態が連続して発生する場合には第２入球部への入球に基づいて振分手段が第２振分状態から第１振分状態（相対的に不利な状態）に切り替えられることとなる。これにより、遊技が過度に遊技者に有利に偏ることを回避できる。このように強制的に不利側に切り替える場合であっても、その契機が相対的に有利な第２入球部への入球となるため、それが遊技者の遊技意欲の減退を招く要因になることを抑制できる。
【０１９６】
特徴Ａ３．前記切替手段は、前記振分手段が前記第１振分状態となっている状況下にて前記第２入球部への入球が発生した場合に、当該振分手段を前記第１振分状態に維持する構成となっていることを特徴とする特徴Ａ２に記載の遊技機。
【０１９７】
本特徴に示す構成によれば、振分手段が第１振分状態（相対的に不利な状態）にて第２入球部への入球が発生した場合には、第１振分状態が維持されることとなる。これにより、遊技者に付与される特典が過剰になることを回避できる。第１振分状態維持の要因が相対的に有利な第２入球部への入球であるため、それが遊技者の遊技意欲の減退を招く要因になることを抑制できる。
【０１９８】
特徴Ａ４．前記第１位置へ遊技球が到達したことに基づいて遊技者に第１特典（例えば３個の賞球）を付与する第１特典付与手段と、
前記第２位置へ遊技球が到達したことに基づいて遊技者に第２特典（例えば４個の賞球）を付与する第２特典付与手段と
を備え、
前記第２入球部への入球は、前記第１入球部への入球よりも遊技者に有利となっており、
前記切替手段は、前記振分手段が前記第１振分状態となっている状況下にて前記第２入球部への入球が発生した場合に、当該振分手段を前記第１振分状態から前記第２振分状態に切り替える構成となっていることを特徴とする特徴Ａ１に記載の遊技機。
【０１９９】
本特徴に示す構成によれば、振分手段が第１振分状態（相対的に不利な状態）にて第１入球部よりも有利な第２入球部への入球が発生した場合には、当該第２入球部への入球に基づいて振分手段が第１振分状態から第２振分状態に切り替えられることとなる。これにより、遊技者に有利な状態が連続することとなり、遊技にメリハリを与えることができる。これは、遊技の単調化を抑制する上で好ましい。
【０２００】
特徴Ａ５．前記切替手段は、前記振分手段が前記第２振分状態となっている状況下にて前記第２入球部への入球が発生した場合に、当該振分手段を前記第２振分状態に維持する構成となっていることを特徴とする特徴Ａ４に記載の遊技機。
【０２０１】
本特徴に示す構成によれば、振分手段が第２振分状態（相対的に有利な状態）にて第１入球部よりも有利な第２入球部への入球が発生した場合には、第２振分状態が維持されることとなる。このようにして、遊技者に有利な状態が続く構成とすれば、特徴Ａ４に示した効果を一層好適に発揮させることができる。
【０２０２】
特徴Ａ６．前記第２入球部へ流入した遊技球を前記第２位置へ導く球通路（排出通路８４ｂや連絡通路４２０Ｘ）を備え、
前記切替手段は、前記球通路における遊技球の通過に基づいて前記切り替えを行うように構成されていることを特徴とする特徴Ａ１乃至特徴Ａ５のいずれか１つに記載の遊技機。
【０２０３】
第２入球部へ流入した遊技球は球通路を経由して第２位置へ向かう。このような遊技球の動きに基づいて振分手段の状態を切り替える構成とすることにより、第１入球部への入球と第２入球部への入球との相関関係を強化することができる。また、既存の入球部を利用することにより、特徴Ａ１等に示した注目度向上効果を発揮させる上で遊技機の構成が過度に複雑化することを抑制できる。
【０２０４】
特徴Ａ７．前記切替手段は、前記球通路における遊技球の移動経路上に突出する突出位置と、突出が回避される回避位置とに移動可能な作用部（球受け部３９０ａや球受けブロック４０１Ｘ）を有し、前記突出位置に配置された前記作用部が前記第２位置へ向かう遊技球によって押されることにより当該遊技球に追従して変位する構成となっており、
前記振分手段は、当該振分手段の状態が前記作用部の変位に伴って切り替わる構成となっていることを特徴とする特徴Ａ６に記載の遊技機。
【０２０５】
第２位置へ向かう遊技球に追従して作用部が変位すると、その変位に伴って振分手段の状態が切り替わる。このように、第２位置へ向かう遊技球の重さや勢いを利用して振分手段の状態を切り替える構成とすれば、特徴Ａ１等に示した技術的思想を具現化する上で、駆動部等の別途アクチュエータが不要となり構成が過度に複雑化することを抑制できる。
【０２０６】
特徴Ａ８．前記作用部は、前記突出位置及び前記回避位置の一方から他方に移動する場合の移動方向が、前記移動経路における上流側から下流側に向かう方向となるように構成されていることを特徴とする特徴Ａ７に記載の遊技機。
【０２０７】
特徴Ａ８に示す構成とすれば、作用部が第２入球部へ入った遊技球の動きを妨げる要因になることを抑制できる。
【０２０８】
特徴Ａ９．前記振分手段は、前記第１振分状態から前記第２振分状態に切り替わる場合の動作方向と、前記第２振分状態から前記第１振分状態に切り替わる場合の動作方向とが一致していることを特徴とする特徴Ａ１乃至特徴Ａ８のいずれか１つに記載の遊技機。
【０２０９】
特徴Ａ９によれば、振分手段によって遊技球の振り分けを行っている最中に第２入球部への入球が発生したとしても、振分手段にて球詰まり等が発生することを好適に回避できる。
【０２１０】
特徴Ａ１０．前記遊技領域には、前記遊技球発射手段により発射された遊技球が前記第１入球部へ向かう第１流下経路（左ルート）と、前記第２入球部へ向かう第２流下経路（右ルート）とが形成されており、
前記第２流下経路を流下する遊技球は前記第１入球部への入球が困難又は不可となるように構成されていることを特徴とする特徴Ａ１乃至特徴Ａ９のいずれか１つに記載の遊技機。
【０２１１】
狙い先を第２入球部から第１入球部へ変えた場合の第１入球部への一個目の入球の振分先を規定することができる。これにより、遊技の多様化を実現できる。例えば特徴Ａ２〜Ａ３との組み合わせにおいては、遊技者に有利な状況を遊技球の発射先（流路）の変更と共に終了させることができる。故に、遊技のメリハリを強化できる。これに対して特徴Ａ４〜Ａ５との組み合わせにおいては、有利な状況が流路変更後も僅かに続くこととなる。有利度を緩やかに変化させることにより遊技の継続を促すことができる。
【０２１２】
特徴Ａ１１．遊技領域（遊技領域ＰＥ）が形成されている遊技盤（遊技盤ユニット８０）と、
遊技者の発射操作に基づいて前記遊技領域へ遊技球を発射する遊技球発射手段（遊技球発射機構１１０）と、
前記遊技領域における第１所定箇所（上作動口８３ａ）に到達した遊技球を第１位置（第１分岐通路部３３１）に振り分ける第１振分状態と第２流路（第２分岐通路部３３２）に振り分ける第２振分状態とに切替可能な振分手段（振分機構３００）と
を備え、
前記振分手段は、前記第１所定箇所を通過する遊技球の動きに伴って前記第１振分状態及び前記第２振分状態の一方から他方に切り替わる構成となっており、前記第２振分状態となっている状況下にて前記第１所定箇所とは異なる第２所定箇所に遊技球が到達した場合に、当該第２所定箇所を通過する遊技球の動きに伴って前記第２振分状態に切り替わる構成となっていることを特徴とする遊技機。
【０２１３】
特徴Ａ１１によれば、第１所定箇所に到達した遊技球は振分手段によって第１位置及び第２位置へ振り分けられることとなる。振分手段は遊技球の振り分けに伴って第１振分状態及び第２振分状態の一方から他方に切り替わるだけでなく、第２所定箇所を通過する遊技球の動きに伴って第２振分状態に切り替わる。つまり、遊技球の振り分け先が第２位置側に偏重する。このような構成とすることで、遊技球の振り分けが単調になることを抑制し、遊技への注目度の向上に寄与できる。
【０２１４】
特徴Ａ１２．遊技領域（遊技領域ＰＥ）が形成されている遊技盤（遊技盤ユニット８０）と、
遊技者の発射操作に基づいて前記遊技領域へ遊技球を発射する遊技球発射手段（遊技球発射機構１１０）と、
前記遊技領域に設けられた、第１入球部（上作動口８３ａ）及び第２入球部（下作動口８４ａ）と、
前記第１入球部へ流入した遊技球を第１位置（第１分岐通路部３３１）に振り分ける第１振分状態と、当該第１入球部へ流入した遊技球を第２位置（第２分岐通路部３３２）に振り分ける第２振分状態とに切替可能な振分手段（振分機構３００）と、
前記第１位置へ遊技球が到達したことに基づいて遊技者に第１特典を付与する第１特典付与手段と、
前記第２位置へ遊技球が到達したことに基づいて遊技者に第１特典よりも遊技者に有利な第２特典を付与する第２特典付与手段と
を備え、
前記第２入球部は、遊技球が入球可能な受入状態と、当該受入状態よりも入球が困難又は不可となる非受入状態とに切替可能となっており、
前記第２入球部へ流入した遊技球は前記第２位置へ流入するように構成となっており、
前記振分手段は、前記第１振分状態及び前記第２振分状態の一方にて前記遊技球を振り分ける場合に、振分対象となった遊技球に押されることにより前記第１振分状態及び前記第２振分状態の他方に切り替わる構成となっており、
前記第１振分状態となっている状況下にて前記第２入球部への入球が発生した場合には、前記振分手段を前記第１振分状態に維持する一方、前記第２振分状態となっている状況下にて前記第２入球部への入球が発生した場合には前記振分手段が前記第１振分状態に切り替える切替手段を備えていることを特徴とする遊技機。
【０２１５】
特徴Ａ１２によれば、第１入球部へ入球した遊技球は第１流路及び第２流路へ振り分けられることとなり、遊技球の振り分けに伴って振分先が切り替わる。そして、遊技球の振分先については第２入球部への入球によっても変化することとなり、第１入球部及び第２入球部を連携させて振り分けの単調化を抑制できる。特に、受入状態となることで入球が容易化された第２入球部への入球により有利側となる第２位置への振分に偏りを生じさせることにより、遊技者に有利な状況を発生させつつも、その偏りが過度となることを好適に抑制できる。
【０２１６】
＜特徴Ｂ群＞
以下の特徴Ｂ群は、「パチンコ機等の遊技機には、遊技領域が形成された遊技盤と、遊技者による発射操作に基づいて当該遊技領域へ遊技球を発射する遊技球発射手段とを備えているものがある。遊技球発射手段から発射された遊技球が遊技領域に設けられた入球部へ入球することにより、所定数の遊技球の払い出し等の特典が遊技者に付与される（例えば特許文献１参照）。」という背景技術について、「上述したタイプの遊技機においては、例えば遊技の単調化等を抑制して遊技への注目度の向上を図る上で、その構成に未だ改善の余地がある。」という発明が解決しようとする課題をもってなされたものである。
【０２１７】
特徴Ｂ１．遊技球が通過する第１球通路（球通路３０８の上流側通路部３２６及び分岐部３２７）及び第２球通路（連絡通路４２０Ｘ）と、前記第１球通路を通過する遊技球を振り分ける振分手段（振分機構３００）とを備えている遊技機であって、
前記振分手段は、所定方向へ回転可能に設けられた回転体（回転体３０１）を有し、
前記回転体の外周部（外周部３５７）には、前記第１球通路における所定の案内位置（受入位置ＡＰ）に配置されることにより遊技球を第１方向に案内する第１案内部（第１収容凹部３６１）と、遊技球を第２方向へ案内する第２案内部（第２収容凹部３７１）とが所定の順序（例えば交互）で配設されており、
前記回転体は、当該回転体の回転により、前記第１案内部及び前記第２案内部のいずれかが前記案内位置へ位置するように構成されており、
前記第２球通路は、前記回転体の近傍を通過するように配設されており、
前記回転体には前記第２球通路を通過する遊技球を受ける球受け部（球受けブロック４０１Ｘ）が設けられており、前記回転体は前記球受け部が前記第２球通路を通過する遊技球に押されることにより回転位置が変化するように構成されていることを特徴とする遊技機。
【０２１８】
特徴Ｂ１によれば、第１球通路を通過する遊技球は振分手段（回転体）の回転位置によって第１方向／第２方向に振り分けられることとなる。回転体の近傍を通過する第２球通路を遊技球が通過する場合には、この遊技球によって回転体の球受け部が押されることにより回転体の回転位置が変化し得る。つまり、第１球通路とは別の第２球通路を流下する遊技球によって案内位置に配置される案内部が第１案内部／第２案内部で切り替わる場合がある。このような構成とすることにより、第１球通路を流下する遊技球の振り分けが単調になることを抑制し、遊技への注目度の向上に寄与できる。
【０２１９】
なお、本特徴に示す構成を「遊技球が通過する第１球通路（球通路３０８Ｘ）及び第２球通路（連絡通路４２０Ｘ）と、前記第１球通路に配設され、所定方向へ回転可能に設けられた回転体（回転体３０１Ｘ）を備え、前記回転体の外周部（外周部３５７）には、所定の案内位置（受入位置ＡＰ）に配置されることにより前記第１球通路を通過する遊技球を第１方向に案内可能となる第１案内部（第１収容凹部３６１）と、同遊技球を第２方向へ案内可能となる第２案内部（第２収容凹部３７１）とが前記所定方向に所定の順序で配設されており、前記回転体は、当該回転体の回転により、前記案内位置に前記第１案内部及び前記第２案内部のいずれかが位置するように構成されており、前記回転体は、前記第２球通路を通過する遊技球を受ける球受け部（球受けブロック４０１Ｘ）を有し、当該球受け部が前記第２球通路を通過する遊技球によって押されることにより、前記所定方向へ回転するように構成されていることを特徴とする遊技機。」とすることも可能である。
【０２２０】
特徴Ｂ２．前記球受け部は、前記回転体の外周部（外周部３５７）よりも外側へ突出するように形成されており、
前記第２球通路は、当該第２球通路において遊技球が通過する領域が、前記回転体の回転に伴って前記球受け部が通過する通過領域となるように構成されていることを特徴とする特徴Ｂ１に記載の遊技機。
【０２２１】
特徴Ｂ２に示すように回転体の外周部から突設された球受け部の通過領域（動作領域）を第２球通路内に設定することにより、特徴Ｂ１に示した技術的思想を好適に具現化できる。
【０２２２】
特徴Ｂ３．前記回転体は、前記第２球通路を通過する遊技球によって前記球受け部が押されることにより、前記所定方向に回転するように構成されていることを特徴とする特徴Ｂ１又は特徴Ｂ２に記載の遊技機。
【０２２３】
特徴Ｂ３によれば、例えば第１球通路及び第２球通路の両方に遊技球が同時に到達した場合であっても、それにより回転体の動きが妨げられることを抑制できる。これは、遊技球の流れの円滑化を図る上で好ましい。
【０２２４】
特徴Ｂ４．前記第２球通路は、当該第２球通路の通路方向が、前記回転体と近接する近接部分においては当該近接部分における前記球受け部の移動方向と同じ方向となるように形成されていることを特徴とする特徴Ｂ２又は特徴Ｂ３に記載の遊技機。
【０２２５】
特徴Ｂ４に示す構成によれば、第２球通路を流下する遊技球に押されることで球受け部が第２球通路における上流側から下流側に移動する。これにより、第２球通路を移動する遊技球の動きが球受け部によって阻害されることを好適に抑制できる。これは、例えば第２球通路への入球に基づいて遊技者に特典等を付与する上で上記球受け部の存在がその応答性を低下させる要因になることを抑制する上で好ましい構成である。
【０２２６】
特徴Ｂ５．前記第１案内部及び前記第２案内部は、前記所定方向に交互となるように配設されており、
前記回転体は、前記球受け部が遊技球に押された場合に当該回転体が回転する回転角度が、前記案内位置に位置する案内部が前記第１案内部及び前記第２案内部の一方からその隣に配設された他方に切り替わる回転角度となるように構成されていることを特徴とする特徴Ｂ１乃至特徴Ｂ４のいずれか１つに記載の遊技機。
【０２２７】
特徴Ｂ５によれば、第２所定位置を遊技球が通過することにより、回転体による遊技球の案内先が切り替わることとなる。この際、案内位置に位置する対象が隣り合う第１案内部及び第２案内部の一方から他方に切り替わる構成とすることにより、第２球通路において球受け部が遊技球に押される区間を短くすることができる。これは、特徴Ｂ４に示した応答性の低下を抑える上で好ましい。
【０２２８】
特徴Ｂ６．前記球受け部は、前記第１案内部及び前記第２案内部の一方が前記案内位置に配置される場合に前記第２球通路を通過する遊技球の移動経路上に配置され、前記第１案内部及び前記第２案内部の他方が前記案内位置に配置される場合に、前記移動経路上から離脱するように構成されていることを特徴とする特徴Ｂ１乃至特徴Ｂ５のいずれか１つに記載の遊技機。
【０２２９】
特徴Ｂ６によれば、第１案内部及び第２案内部の一方が案内位置に配置される場合には球受け部が第２球通路における遊技球の移動経路上に配置されることで、当該遊技球が球受け部を押圧可能となり、第１案内部及び第２案内部の他方が案内位置に配置される場合には球受け部が移動経路上から離脱することで、当該遊技球による球受け部の押圧が回避される。これにより、遊技球の案内先を偏重させることができる。
【０２３０】
特徴Ｂ７．前記回転体は、前記第１案内部及び前記第２案内部による遊技球の振り分けに伴って回転位置が変化する構成となっており、
前記球受け部は、前記回転体の回転に伴って前記第２球通路を通過する遊技球の移動経路上に配置される構成となっていることを特徴とする特徴Ｂ１乃至特徴Ｂ５のいずれか１つに記載の遊技機。
【０２３１】
第２球通路を流下する遊技球を利用して回転体の回転位置を変化させる構成においては、球受け部を第２球通路（移動経路上）に配置するための駆動部等が別途必要になることは、振分手段の大型化を招き、当該振分手段の配置自由度を低下させる要因になり得る。この点、本特徴に示すように遊技球の振り分けに伴う回転によって球受け部の配置が可能となれば、上記不都合の発生を好適に抑制できる。
【０２３２】
特徴Ｂ８．前記第１案内部及び前記第２案内部は、前記回転体の外周部を凹ませてなり、
前記球受け部は、前記所定方向にて前記第１案内部と前記第２案内部との間に形成されていることを特徴とする特徴Ｂ１乃至特徴Ｂ７のいずれか１つに記載の遊技機。
【０２３３】
特徴Ｂ８に示すように、凸型の球受け部を凹型の第１案内部及び第２案内部の間に配設することにより、それら球受け部及び案内部を好適に共存させることができる。
【０２３４】
特徴Ｂ９．前記回転体は、前記第１案内部及び前記第２案内部を各々複数有し、
前記第１案内部及び前記第２案内部は、前記案内位置に到達した遊技球を前記回転体の側方（回転中心軸線ＣＬ方向）に案内するものであり、
前記第１案内部及び前記第２案内部は、壁面が前記所定方向及び当該所定方向と反対方向を向くように形成された壁部（仕切り部３５９）によって仕切られており、
前記球受け部は、前記壁部が前記外周部の外側へ延設されてなることを特徴とする特徴Ｂ８に記載の遊技機。
【０２３５】
回転体の外周部に壁部（仕切り部）を形成し、この壁部によって第１案内部及び第２案内部を仕切る構成とすれば、デッドスペースを減縮して第１案内部及び第２案内部の配設数を稼ぐことができる。このような構成にて更に球受け部を設ける場合には、球受け部が案内部による遊技球の案内を妨げる要因になり得るため案内部と球受け部との共存が難しくなると懸念される。この点、本特徴に示すように壁部を外側（例えば放射方向）に延設することで、球受け部として利用する構成とすれば、そのような不都合の発生を好適に抑制できる。
【０２３６】
特徴Ｂ１０．前記回転体は、前記第１案内部及び前記第２案内部を各々複数有し、
前記第１案内部及び前記第２案内部は、前記案内位置に到達した遊技球を前記回転体の側方（回転中心軸線ＣＬ方向）に案内するものであり、
前記球受け部は、前記回転体にて前記第１案内部に対して前記第１方向とは反対側となる部分及び前記回転体にて前記第２案内部に対して前記第２方向とは反対側となる部分の少なくともいずれかに設けられていることを特徴とする特徴Ｂ１乃至特徴Ｂ７のいずれか１つに記載の遊技機。
【０２３７】
本特徴に示すように案内部にて案内方向とは反対側となる部分に球受け部を設けることにより、回転体にて球受け部と案内部とを好適に共存させることができる。
【０２３８】
特徴Ｂ１１．前記球受け部を、前記回転体の外周部から突出状態と突出が抑えられた退避状態とに切替可能となるように保持されていることを特徴とする特徴Ｂ１乃至特徴Ｂ１０のいずれか１つに記載の遊技機。
【０２３９】
特徴Ｂ１１によれば、回転体の小型化を促進し、回転体の配置に係る制約を緩和できる。これは、例えば遊技領域に設けられる他の遊技部品との共存を図る上で好ましい。
【０２４０】
なお、例えば遊技球を第２所定位置へ案内する球通路を回転体の下側に配設すれば、球受け部を自重によって突出状態に切り替えることが可能となる。
【０２４１】
特徴Ｂ１２．前記球受け部を前記突出状態となるように付勢する付勢手段（例えばバネ部材）と、
前記回転体の回転範囲のうち前記球通路を外れる範囲にて前記球受け部を前記付勢手段の付勢力に抗して前記退避状態に保持する保持手段（例えばハウジング３０３の溝部３２１を形成する壁面）と
を備えていることを特徴とする特徴Ｂ１１に記載の遊技機。
【０２４２】
特徴Ｂ１２によれば、回転方向における全区間のうち第２球通路を通過する遊技球を受ける必要のない区間においては球受け部の動作領域を小さくすることができるため、振分手段の小型化を促進できる。これにより、特徴Ｂ１１に示した効果を好適に発揮させることができる。
【０２４３】
なお、特徴Ｂ１〜特徴Ｂ１２に、特徴Ａ１〜特徴Ａ１２に示した技術的思想を適用してもよい。
【０２４４】
以下に、以上の各特徴を適用し得る遊技機の基本構成を示す。
【０２４５】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（遊技釘等）とを備え、それら各遊技部品のうち所定の通過部（一般入賞口８１等）を遊技球が通過した場合に遊技者に特典を付与する遊技機。
【０２４６】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０２４７】
球使用回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０２４８】
１０…遊技機としてのパチンコ機、４１…遊技球発射ハンドル、８０…遊技盤ユニット、８０ａ…遊技領域形成体、８２…可変入球装置、８３…上作動入球装置、８３ａ…第１入球部としての上作動口、８４…下作動入球装置、８４ａ…第２入球部としての下作動口、３００…振分機構、３０１…回転体、３０２…ホルダ、３０３…ハウジング、３０４…板バネ、３０５，３０６…検知センサ、３０８…球通路、３２７…分岐部、３２８…下流側通路部、３３１…第１分岐通路部、３３２…第２分岐通路部、３５７…外周部、３５９…仕切り部、３６１…第１案内部としての第１収容凹部、３７２…第２案内部としての第２収容凹部、３９０…リンク機構、４００Ｘ…作動入球ユニット、４０１Ｘ…球受けブロック、４０３Ｘ…アーム部、４２０Ｘ…連絡通路、４２１Ｘ…傾斜通路部、ＡＰ…受入位置、ＣＬ…回動中心軸線、ＰＥ…遊技領域。
【図１】
2018183538.tif 000003
【図２】
2018183538.tif 000004
【図３】
2018183538.tif 000005
【図４】
2018183538.tif 000006
【図５】
2018183538.tif 000007
【図６】
2018183538.tif 000008
【図７】
2018183538.tif 000009
【図８】
2018183538.tif 000010
【図９】
2018183538.tif 000011
【図１０】
2018183538.tif 000012
【図１１】
2018183538.tif 000013
【図１２】
2018183538.tif 000014
【図１３】
2018183538.tif 000015
【図１４】
2018183538.tif 000016
【図１５】
2018183538.tif 000017
【図１６】
2018183538.tif 000018
【図１７】
2018183538.tif 000019
【図１８】
2018183538.tif 000020
【図１９】
2018183538.tif 000021
【図２０】
2018183538.tif 000022
【図２１】
2018183538.tif 000023
【図２２】
2018183538.tif 000024
【図２３】
2018183538.tif 000025
【図２４】
2018183538.tif 000026
【図２５】
2018183538.tif 000027
【図２６】
2018183538.tif 000028
【図２７】
2018183538.tif 000029